(57)【要約】  走査動作を変更するためにモバイルデバイスによって使用するために実装することができる様々な方法、装置及び／又は製造品が提供される。走査動作を変更する際にモバイルデバイスによって使用するための１つ以上の走査ファクタを決定するために１つ以上の電子デバイスによって使用するために実装することができる様々な方法、装置及び／又は製造品が提供される。
2016511615.tif 000002
【特許請求の範囲】
【請求項１】
方法であって、モバイルデバイスにおいて、
無線トランシーバデバイスによって送信された少なくとも第１の無線信号を取得することと、
少なくとも部分的に前記第１の無線信号に基づいて無線信号に関する少なくとも１つの後続する走査動作を選択的に変更することと、を備える、方法。
【請求項２】
前記少なくとも１つの後続する走査動作を選択的に変更することは、
前記第１の無線信号に関する受信信号強度測定値、及び／又は前記第１の無線信号を送信する際に前記無線トランシーバデバイスによって加えられる決定された送信電力のうちの少なくとも１つに少なくとも部分的に基づいて前記少なくとも１つの後続する走査動作を選択的に変更することを備える請求項１に記載の方法。
【請求項３】
前記少なくとも１つの後続する走査動作を選択的に変更することは、
少なくとも部分的に前記第１の無線信号に基づいて走査スケジュールを変更することを備える請求項１に記載の方法。
【請求項４】
前記走査スケジュールは、少なくとも部分的には走査速度に基づき、前記少なくとも１つの走査動作を選択的に変更することは、前記走査速度の周波数を変更することを備える請求項３に記載の方法。
【請求項５】
前記走査速度は、少なくとも部分的には位置フィックスレートに基づく請求項４に記載の方法。
【請求項６】
前記走査速度の前記周波数を変更することは、
前記第１の無線信号に関する受信信号強度測定値が信号強度スレショルド値を満たしていない、及び／又は、前記第１の無線信号を送信する際に前記無線トランシーバデバイスによって加えられる送信電力が送信電力スレショルド値を満たしていない、のうちの少なくとも１つを決定したことに応答して前記周波数を増大させることを備える請求項４に記載の方法。
【請求項７】
前記走査速度の前記周波数を変更することは、
前記受信信号強度測定値が前記信号強度スレショルド値を満たしていると決定したこと、及び／又は、前記決定された送信電力が前記送信電力スレショルド値を満たしていると決定したこと、のうちの少なくとも１つに応答して前記周波数を低減させることを備える請求項４に記載の方法。
【請求項８】
前記走査速度の前記周波数を変更することは、
デフォルトの走査速度、及びヒートマップに基づく無線トランシーバデバイスの予想数に基づいて識別された無線トランシーバデバイスの数に少なくとも部分的に基づいて前記周波数を低減させることを備える請求項４に記載の方法。
【請求項９】
前記少なくとも１つの後続する走査動作を選択的に変更することは、
少なくとも部分的に前記第１の無線信号を介して入手された走査ファクタに少なくとも部分的に基づいて前記少なくとも１つの後続する走査動作を選択的に変更することを備える請求項１に記載の方法。
【請求項１０】
前記走査ファクタは、前記モバイルデバイスの位置、及び／又は時間測定値のうちの少なくとも１つに依存して変化する請求項９に記載の方法。
【請求項１１】
前記走査ファクタは、推奨される走査速度周波数を示す請求項９に記載の方法。
【請求項１２】
前記走査ファクタは、提案される走査限界を示す請求項９に記載の方法。
【請求項１３】
前記モバイルデバイスおいて、
走査動作リポートを少なくとも１つのその他の電子デバイスに送信することであって、前記走査動作リポートは、少なくとも部分的には、前記少なくとも１つの後続する走査動作に基づくことをさらに備える請求項１に記載の方法。
【請求項１４】
前記少なくとも１つの後続する走査動作は、受動的走査動作を備える請求項１に記載の方法。
【請求項１５】
モバイルデバイスにおいて使用するための装置であって、
無線トランシーバデバイスによって送信された少なくとも第１の無線信号を取得するための手段と、
少なくとも部分的に前記第１の無線信号に基づいて無線信号に関する少なくとも１つの後続する走査動作を選択的に変更するための手段と、を備える、装置。
【請求項１６】
前記第１の無線信号に関する受信信号強度測定値、及び／又は前記第１の無線信号を送信する際に前記無線トランシーバデバイスによって加えられる決定された送信電力のうちの少なくとも１つに少なくとも部分的に基づいて前記少なくとも１つの後続する走査動作を選択的に変更するための手段をさらに備える請求項１５に記載の装置。
【請求項１７】
少なくとも部分的に前記第１の無線信号に基づいて走査スケジュールを変更するための手段をさらに備える請求項１５に記載の装置。
【請求項１８】
前記走査スケジュールは、少なくとも部分的に、走査速度に基づき、
少なくとも部分的に前記第１の無線信号に基づいて前記走査速度の周波数を変更するための手段をさらに備える請求項１７に記載の装置。
【請求項１９】
前記走査速度は、少なくとも部分的には位置フィックスレートに基づく請求項１８に記載の装置。
【請求項２０】
前記第１の無線信号に関する受信信号強度測定値が信号強度スレショルド値を満たしていない、及び／又は、前記第１の無線信号を送信する際に前記無線トランシーバデバイスによって加えられる決定された送信電力が送信電力スレショルド値を満たしていない、のうちの少なくとも１つを決定したことに応答して前記周波数を増大させるための手段をさらに備える請求項１８に記載の装置。
【請求項２１】
前記受信信号強度測定値が前記信号強度スレショルド値を満たしていると決定したこと、及び／又は、前記送信電力が前記送信電力スレショルド値を満たしていると決定したこと、のうちの少なくとも１つに応答して前記周波数を低減させるための手段をさらに備える請求項１８に記載の装置。
【請求項２２】
デフォルトの走査速度、及びヒートマップに基づく無線トランシーバデバイスの予想数に基づいて識別された無線トランシーバデバイスの数に少なくとも部分的に基づいて前記周波数を低減させるための手段をさらに備える請求項１８に記載の装置。
【請求項２３】
少なくとも部分的に前記第１の無線信号を介して入手された走査ファクタに少なくとも部分的に基づいて前記少なくとも１つの後続する走査動作を選択的に変更するための手段をさらに備える請求項１５に記載の装置。
【請求項２４】
前記走査ファクタは、前記モバイルデバイスの位置、及び／又は時間測定値のうちの少なくとも１つに依存して変化する請求項２３に記載の装置。
【請求項２５】
前記走査ファクタは、推奨される走査速度周波数を示す請求項２３に記載の装置。
【請求項２６】
前記走査ファクタは、提案される走査限界を示す請求項２３に記載の装置。
【請求項２７】
走査動作リポートを少なくとも１つのその他の電子デバイスに送信するための手段であって、前記走査動作リポートは、少なくとも部分的には前記少なくとも１つの後続する走査動作に基づく手段、をさらに備える請求項１５に記載の装置。
【請求項２８】
前記少なくとも１つの後続する走査動作は、受動的走査動作を備える請求項１５に記載の装置。
【請求項２９】
モバイルデバイスであって、
無線トランシーバデバイスから少なくとも第１の無線信号を取得するように構成された受信機と、
前記受信機に結合され、少なくとも部分的に前記第１の無線信号に基づいて前記受信機を用いて無線信号に関する少なくとも１つの後続する走査動作を選択的に変更するように構成された処理ユニットと、を備える、モバイルデバイス。
【請求項３０】
前記処理ユニットは、前記第１の無線信号に関する受信信号強度測定値、及び／又は前記第１の無線信号を送信する際に前記無線トランシーバデバイスによって加えられる決定された送信電力のうちの少なくとも１つに少なくとも部分的に基づいて前記少なくとも１つの後続する走査動作を選択的に変更するようにさらに構成される請求項２９に記載のモバイルデバイス。
【請求項３１】
前記処理ユニットは、
少なくとも部分的に前記第１の無線信号に基づいて走査スケジュールを変更するようにさらに構成される請求項２９に記載のモバイルデバイス。
【請求項３２】
前記走査スケジュールは、少なくとも部分的に走査速度に基づき、前記少なくとも１つの走査動作を選択的に変更することは、前記走査速度の周波数を変更することを備える請求項３１に記載のモバイルデバイス。
【請求項３３】
前記走査速度は、少なくとも部分的には位置フィックスレートに基づく請求項３２に記載のモバイルデバイス。
【請求項３４】
前記処理ユニットは、前記第１の無線信号に関する受信信号強度測定値が信号強度スレショルド値を満たしていない、及び／又は、前記第１の無線信号を送信する際に前記無線トランシーバデバイスによって加えられる決定された送信電力が送信電力スレショルド値を満たしていない、のうちの少なくとも１つを決定したことに応答して前記周波数を増大させるようにさらに構成される請求項３２に記載のモバイルデバイス。
【請求項３５】
前記処理ユニットは、前記受信信号強度測定値が前記信号強度スレショルド値を満たしていると決定したこと、及び／又は、前記送信電力が前記送信電力スレショルド値を満たしていると決定したこと、のうちの少なくとも１つに応答して前記周波数を低減させるようにさらに構成される請求項３２に記載のモバイルデバイス。
【請求項３６】
前記処理ユニットは、デフォルトの走査速度、及びヒートマップに基づく無線トランシーバデバイスの予想数に基づいて識別された無線トランシーバデバイスの数に少なくとも部分的に基づいて前記周波数を低減させるようにさらに構成される請求項３２に記載のモバイルデバイス。
【請求項３７】
前記処理ユニットは、少なくとも部分的に前記第１の無線信号を介して入手された走査ファクタに少なくとも部分的に基づいて前記少なくとも１つの後続する走査動作を選択的に変更するようにさらに構成される請求項２９に記載のモバイルデバイス。
【請求項３８】
前記走査ファクタは、前記モバイルデバイスの位置、及び／又は時間測定値のうちの少なくとも１つに依存して変化する請求項３７に記載のモバイルデバイス。
【請求項３９】
前記走査ファクタは、推奨される走査速度周波数を示す請求項３７に記載のモバイルデバイス。
【請求項４０】
前記走査ファクタは、提案される走査限界を示す請求項３７に記載のモバイルデバイス。
【請求項４１】
送信機をさらに備え、前記処理ユニットは、
前記送信機を介して走査動作リポートを少なくとも１つのその他の電子デバイスに送信することを開始するようにさらに構成され、前記走査動作リポートは、少なくとも部分的には前記少なくとも１つの後続する走査動作に基づく請求項２９に記載のモバイルデバイス。
【請求項４２】
前記少なくとも１つの後続する走査動作は、受動的走査動作を備える請求項２９に記載のモバイルデバイス。
【請求項４３】
品目であって、
無線トランシーバデバイスによって送信された少なくとも第１の無線信号を取得し、及び
少なくとも部分的に前記第１の無線信号に基づいて無線信号に関する少なくとも１つの後続する走査動作を選択的に変更するためにモバイルデバイス内の処理ユニットによって実行可能なコンピュータによって実装可能な命令を格納している非一時的なコンピュータによって読み取り可能な媒体を備える、品目。
【請求項４４】
前記コンピュータによって実装可能な命令は、
前記第１の無線信号に関する受信信号強度測定値、及び／又は前記第１の無線信号を送信する際に前記無線トランシーバデバイスによって加えられる決定された送信電力のうちの少なくとも１つに少なくとも部分的に基づいて前記少なくとも１つの後続する走査動作を選択的に変更するために前記処理ユニットによってさらに実行可能である請求項４３に記載の品目。
【請求項４５】
前記コンピュータによって実装可能な命令は、
少なくとも部分的に前記第１の無線信号に基づいて走査スケジュールを変更するために前記処理ユニットによってさらに実行可能である請求項４３に記載の品目。
【請求項４６】
前記走査スケジュールは、少なくとも部分的に走査速度に基づき、前記少なくとも１つの走査動作を選択的に変更することは、前記走査速度の周波数を変更することを備える請求項４５に記載の品目。
【請求項４７】
前記走査速度は、少なくとも部分的には、位置フィックスレートに基づく請求項４６に記載の品目。
【請求項４８】
前記コンピュータによって実装可能な命令は、前記第１の無線信号に関する受信信号強度測定値が信号強度スレショルド値を満たしていない、及び／又は、前記第１の無線信号を送信する際に前記無線トランシーバデバイスによって加えられる送信電力が送信電力スレショルド値を満たしていない、のうちの少なくとも１つを決定したことに応答して前記周波数を増大させるために前記処理ユニットによってさらに実行可能である請求項４６に記載の品目。
【請求項４９】
前記コンピュータによって実装可能な命令は、前記受信信号強度測定値が前記信号強度スレショルド値を満たしていると決定したこと、及び／又は、前記送信電力が前記送信電力スレショルド値を満たしていると決定したこと、のうちの少なくとも１つに応答して前記周波数を低減させるために前記処理ユニットによってさらに実行可能である請求項４６に記載の品目。
【請求項５０】
前記コンピュータによって実装可能な命令は、デフォルトの走査速度、及びヒートマップに基づく無線トランシーバデバイスの予想数に基づいて識別された無線トランシーバデバイスの数に少なくとも部分的に基づいて前記周波数を低減させるために前記処理ユニットによってさらに実行可能である請求項４６に記載の品目。
【請求項５１】
前記コンピュータによって実装可能な命令は、
少なくとも部分的に前記第１の無線信号を介して入手された走査ファクタに少なくとも部分的に基づいて前記少なくとも１つの後続する走査動作を選択的に変更するために前記処理ユニットによってさらに実行可能である請求項４３に記載の品目。
【請求項５２】
前記走査ファクタは、前記モバイルデバイスの位置、及び／又は時間測定値のうちの少なくとも１つに依存して変化する請求項５１に記載の品目。
【請求項５３】
前記走査ファクタは、推奨される走査速度周波数を示す請求項５１に記載の品目。
【請求項５４】
前記走査ファクタは、提案される走査限界を示す請求項５１に記載の品目。
【請求項５５】
前記コンピュータによって実装可能な命令は、
走査動作リポートを少なくとも１つのその他の電子デバイスに送信するために前記処理ユニットによってさらに実行可能であり、前記走査動作リポートは、少なくとも部分的には、前記少なくとも１つの後続する走査動作に基づく請求項４３に記載の品目。
【請求項５６】
前記少なくとも１つの後続する走査動作は、受動的走査動作を備える請求項４３に記載の品目。
【請求項５７】
方法であって、電子デバイスにおいて、
モバイルデバイスによる検討のために少なくとも１つの走査ファクタを決定することであって、前記少なくとも１つの走査ファクタは、少なくとも部分的には、第１の無線トランシーバデバイスによって送信された少なくとも第１の無線信号に基づくことと、
モバイルデバイスにメッセージを送信することであって、前記少なくとも１つのメッセージは、前記少なくとも１つの走査ファクタを示すことと、を備える、方法。
【請求項５８】
前記少なくとも１つの走査ファクタは、前記第１の無線信号に関する受信信号強度測定値、及び／又は前記第１の無線信号を送信する際に前記無線トランシーバデバイスによって加えられる決定された送信電力のうちの少なくとも１つに少なくとも部分的に基づく請求項５７に記載の方法。
【請求項５９】
前記走査ファクタは、前記モバイルデバイスの位置、及び／又は時間測定値のうちの少なくとも１つに依存して変化する請求項５７に記載の方法。
【請求項６０】
前記走査ファクタは、推奨される走査速度周波数、及び／又は提案される走査限界のうちの少なくとも１つを示す請求項５７に記載の方法。
【請求項６１】
前記電子デバイスにおいて、
少なくとも１つのモバイルデバイスによって送信された少なくとも１つの走査動作リポートを入手することであって、前記走査動作リポートは、少なくとも部分的には、前記第１の無線トランシーバデバイスに関連するカバレッジエリア内に位置する間に前記少なくとも１つのモバイルデバイスによって選択された前記少なくとも１つの後続する走査動作に基づくことをさらに備え、
前記少なくとも１つの走査ファクタを決定することは、
少なくとも部分的には前記少なくとも１つの走査動作リポートに基づいて前記少なくとも１つの走査ファクタを決定することをさらに備える請求項５７に記載の方法。
【請求項６２】
前記少なくとも１つの走査ファクタは、受動的走査動作に対応する請求項５７に記載の方法。
【請求項６３】
電子において使用するための装置であって、
モバイルデバイスによる検討のために少なくとも１つの走査ファクタを決定するための手段であって、前記少なくとも１つの走査ファクタは、少なくとも部分的には、第１の無線トランシーバデバイスによって送信された少なくとも第１の無線信号に基づく手段と、
モバイルデバイスにメッセージを送信するための手段であって、前記少なくとも１つのメッセージは、前記少なくとも１つの走査ファクタを示す手段と、を備える、装置。
【請求項６４】
前記少なくとも１つの走査ファクタは、少なくとも部分的には、前記第１の無線信号に関する受信信号強度測定値、及び／又は前記第１の無線信号を送信する際に前記無線トランシーバデバイスによって加えられる決定された送信電力のうちの少なくとも１つに基づく請求項６３に記載の装置。
【請求項６５】
前記走査ファクタは、前記モバイルデバイスの位置、及び／又は時間測定値のうちの少なくとも１つに依存して変化する請求項６３に記載の装置。
【請求項６６】
前記走査ファクタは、推奨される走査速度周波数、及び／又は提案される走査限界のうちの少なくとも１つを示す請求項６３に記載の装置。
【請求項６７】
少なくとも１つのモバイルデバイスによって送信された少なくとも１つの走査動作リポートを入手するための手段であって、前記走査動作リポートは、少なくとも部分的には、前記第１の無線トランシーバデバイスに関連するカバレッジエリア内に位置する間に前記少なくとも１つのモバイルデバイスによって選択された前記少なくとも１つの後続する走査動作に基づく手段と、
さらに少なくとも部分的には前記少なくとも１つの走査動作リポートに基づいて前記少なくとも１つの走査ファクタを決定するための手段と、をさらに備える請求項６３に記載の装置。
【請求項６８】
前記少なくとも１つの走査ファクタは、受動的走査動作に対応する請求項６３に記載の装置。
【請求項６９】
電子デバイスにおいて使用するためのコンピューティングプラットフォームであって、
第１の無線トランシーバデバイスによって送信された第１の無線信号を取得し、及び、モバイルデバイスにメッセージを送信するように構成されたネットワークインタフェースユニットと、
前記ネットワークインタフェースユニットに結合され、モバイルデバイスによる検討のために少なくとも１つの走査ファクタを決定するように構成され、前記少なくとも１つの走査ファクタは、少なくとも部分的には、第１の無線トランシーバデバイスによって送信された少なくとも第１の無線信号に基づき、及び
前記モバイルデバイスにメッセージを送信するように構成され、前記少なくとも１つのメッセージは、前記少なくとも１つの走査ファクタを示す、処理ユニットと、を備える、コンピューティングプラットフォーム。
【請求項７０】
前記少なくとも１つの走査ファクタは、少なくとも部分的には、前記第１の無線信号に関する受信信号強度測定値、及び／又は前記第１の無線信号を送信する際に前記無線トランシーバデバイスによって加えられる決定された送信電力のうちの少なくとも１つに基づく請求項６９に記載のコンピューティングプラットフォーム。
【請求項７１】
前記走査ファクタは、前記モバイルデバイスの位置、及び／又は時間測定値のうちの少なくとも１つに依存して変化する請求項６９に記載のコンピューティングプラットフォーム。
【請求項７２】
前記走査ファクタは、推奨される走査速度周波数、及び／又は提案される走査限界のうちの少なくとも１つを示す請求項６９に記載のコンピューティングプラットフォーム。
【請求項７３】
前記処理ユニットは、
前記ネットワークインタフェースユニットを介して、少なくとも１つのモバイルデバイスによって送信された少なくとも１つの走査動作リポートを入手するようにさらに構成され、前記少なくとも１つの走査動作リポートは、少なくとも部分的には、前記第１の無線トランシーバデバイスに関連するカバレッジエリア内に位置する間に前記少なくとも１つのモバイルデバイスによって選択された前記少なくとも１つの後続する走査動作に基づき、及び
少なくとも部分的に前記少なくとも１つの走査動作リポートにさらに基づいて前記少なくとも１つの走査ファクタを決定するようにさらに構成される請求項６９に記載のコンピューティングプラットフォーム。
【請求項７４】
前記少なくとも１つの走査ファクタは、受動的走査動作に対応する請求項６９に記載のコンピューティングプラットフォーム。
【請求項７５】
品目であって、
モバイルデバイスによる検討のために少なくとも１つの走査ファクタを決定し、及び
モバイルデバイスへのメッセージの送信を開始するために電子デバイスの処理ユニットによって実行可能であるコンピュータによって実装可能な命令を格納している非一時的なコンピュータによって読み取り可能な媒体であって、前記少なくとも１つの走査ファクタは、少なくとも部分的には、第１の無線トランシーバデバイスによって送信された少なくとも第１の無線信号に基づき、前記少なくとも１つのメッセージは、前記少なくとも１つの走査ファクタを示す、非一時的なコンピュータによって読み取り可能な媒体、を備える、品目。
【請求項７６】
前記少なくとも１つの走査ファクタは、少なくとも部分的には、前記第１の無線信号に関する受信信号強度測定値、及び／又は前記第１の無線信号を送信する際に前記無線トランシーバデバイスによって加えられる決定された送信電力のうちの少なくとも１つに基づく請求項７５に記載の品目。
【請求項７７】
前記走査ファクタは、前記モバイルデバイスの位置、及び／又は時間測定値のうちの少なくとも１つに依存して変化する請求項７５に記載の品目。
【請求項７８】
前記走査ファクタは、推奨される走査速度周波数、及び／又は提案される走査限界のうちの少なくとも１つを示す請求項７５に記載の品目。
【請求項７９】
前記コンピュータによって実装可能な命令は、
少なくとも１つのモバイルデバイスによって送信された少なくとも１つの走査動作リポートを入手し、及び
少なくとも部分的には前記少なくとも１つの走査動作リポートに基づいて前記少なくとも１つの走査ファクタを決定するために前記処理ユニットによってさらに実行可能であり、前記少なくとも１つの走査動作リポートは、少なくとも部分的には、前記第１の無線トランシーバデバイスに関連するカバレッジエリア内に位置する間に前記少なくとも１つのモバイルデバイスによって選択された前記少なくとも１つの後続する走査動作に基づく請求項７５に記載の品目。
【請求項８０】
前記少なくとも１つの走査ファクタは、受動的走査動作に対応する請求項７５に記載の品目。
【発明の詳細な説明】
【技術分野】
【０００１】
関連出願
これは、"METRHOD AND APPARATUS FOR PERFOMING SCAN OPERATIONS"（走査動作を行うための方法及び装置）という題名を有し、ここにおける引用によってそれ全体がここに組み入れられている米国非仮特許出願第１３／７９７，３３１号（出願日：２０１３年３月１２日）に対する優先権を主張するＰＣＴ出願である。
【０００２】
［０００１］ここにおいて開示される主題は、電子デバイスに関するものであり、より具体的には、モバイルデバイスが走査動作を変更するために、及び／又は１つ以上の電子デバイスが走査動作を変更する際にモバイルデバイスによって使用するための１つ以上の走査ファクタ（ｓｃａｎ  ｆａｃｏｒ）を決定するために、使用するための方法、装置及び製造品に関するものである。
【背景技術】
【０００３】
［０００２］その名前が示すように、モバイルデバイスは、動き回ること、例えば、典型的には、ユーザ及び／又はおそらく機械によって持ち運びすることができる。幾つかの限定しない例として、モバイルデバイスは、携帯電話、スマートフォン、タブレットコンピュータ、ラップトップコンピュータ、ウエアラブルコンピュータ、ナビゲーション及び／又は追跡デバイス、等の形態をとることができる。
【０００４】
［０００３］モバイルデバイスは、動き回るのに応じて１つ以上の電子デバイスへの無線接続性を維持するのを希望することができる。例えば、無線デバイスが例えば１つ以上の通信及び／又はコンピューティングネットワーク、等によって提供することができる様々なサービスにアクセスするために無線接続性を維持するのが有益であろう。他の例においては、モバイルデバイスが取得された無線信号に基づいて様々な測位機能を実行する又はサポートするのが有益であろう。従って、モバイルデバイスは、取得すべき無線信号に関する走査を時折行うことができる。
【０００５】
［００４］残念なことに、モバイルデバイスは、無線信号に関する走査を行うことによって限られたコンピューティングリソース、メモリリソース、及び／又は（バッテリ、等からの）利用可能な電力リソースを時には浪費的に消費することがある。
【発明の概要】
【０００６】
［０００５］幾つかの態様により、モバイルデバイスにおいて実装することができる方法は、無線トランシーバデバイスによって送信された少なくとも第１の無線信号を取得することと、少なくとも部分的に第１の無線信号に基づいて無線信号に関する少なくとも１つの後続する走査動作を選択的に変更することと、を備えることができる。
【０００７】
［０００６］幾つかのその他の態様により、モバイルデバイスにおいて使用するために提供することができる装置は、無線トランシーバデバイスによって送信された少なくとも第１の無線信号を取得するための手段と、少なくとも部分的に第１の無線信号に基づいて無線信号に関する少なくとも１つの後続する走査動作を選択的に変更するための手段と、を備えることができる。
【０００８】
［０００７］さらにその他の態様により、モバイルデバイスは、受信機と、受信機を介して無線トランシーバデバイスから少なくとも第１の無線信号を取得し、及び、少なくとも部分的に第１の無線信号に基づいて受信機を用いた無線信号に関する少なくとも１つの後続する走査動作を選択的に変更するための処理ユニットと、を備えることができる。
【０００９】
［０００８］さらに他の態様により、無線トランシーバデバイスによって送信された少なくとも第１の無線信号を取得し、及び、少なくとも部分的に第１の無線信号に基づいて無線信号に関する少なくとも１つの後続する走査動作を選択的に変更するためにモバイルデバイス内の処理ユニットによって実行可能なコンピュータによって実装可能な命令を格納している非一時的なコンピュータによって読み取り可能な媒体を備える製造品を提供することができる。
【００１０】
［０００９］幾つかのその他の態様により、電子デバイスにおいて実装することができる方法は、モバイルデバイスによる検討のための少なくとも１つの走査ファクタを決定することであって、少なくとも１つの走査ファクタは、少なくとも部分的には、第１の無線トランシーバデバイスによって送信された少なくとも第１の無線信号に基づくことと、モバイルデバイスにメッセージを送信することであって、少なくとも１つのメッセージは、少なくとも１つの走査ファクタを示すことと、を備えることができる。
【００１１】
［００１０］さらに他の態様により、電子デバイスにおいて使用するために提供することができる装置は、モバイルデバイスによる検討のための少なくとも１つの走査ファクタを決定するための手段であって、少なくとも１つの走査ファクタは、少なくとも部分的には第１の無線トランシーバデバイスによって送信された少なくとも第１の無線信号に基づく手段と、モバイルデバイスにメッセージを送信するための手段であって、少なくとも１つのメッセージは、少なくとも１つの走査ファクタを示す手段と、を備えることができる。
【００１２】
［００１１］さらに他の態様により、電子デバイスにおいて使用するために提供することができるコンピューティングプラットフォームは、ネットワークインタフェースユニットと、モバイルデバイスによる検討のための少なくとも１つの走査ファクタを決定し及びネットワークインタフェースユニットを介してのモバイルデバイスへのメッセージの送信を開始するための処理ユニットとを備えることができ、少なくとも１つの走査ファクタは、少なくとも部分的には、第１の無線トランシーバデバイスによって送信されてネットワークインタフェースユニットを介して取得された少なくとも第１の無線信号に基づき、少なくとも１つのメッセージは、少なくとも１つの走査ファクタを示す。
【００１３】
［００１２］さらにその他の幾つかの態様により、モバイルデバイスによる検討のための少なくとも１つの走査ファクタを決定し、及び、モバイルデバイスへのメッセージの送信を開始するために電子デバイスの処理ユニットによって実行可能なコンピュータによって実装可能な命令を格納している非一時的なコンピュータによって読み取り可能な媒体を備える製造品を提供することができ、少なくとも１つの走査ファクタは、少なくとも部分的には、第１の無線トランシーバデバイスによって送信された少なくとも第１の無線信号に基づき、少なくとも１つのメッセージは、少なくとも１つの走査ファクタを示す。
【図面の簡単な説明】
【００１４】
［００１３］非限定的でかつ徹底的でない態様が以下の図を参照して説明され、同様の参照数字は、別の特記がない限り、様々な図全体を通じて同様の部品を指し示す。
【図１】［００１４］一実装例による、走査ファクタを決定するための電子デバイスと、例えば、可能なことに走査ファクタを検討することによって後続する走査動作を変更することができるモバイルデバイスと、を含む代表的な電子デバイスの配置を例示した概略的ブロック図である。
【図２Ａ】［００１５］幾つかの実装例による、後続する走査動作を変更するためにモバイルデバイス内において実装することができるプロセス例を示した流れ図である。
【図２Ｂ】［００１５］幾つかの実装例による、後続する走査動作を変更するためにモバイルデバイス内において実装することができるプロセス例を示した流れ図である。
【図３Ａ】［００１６］幾つかの実装例による、後続する走査動作を変更する際にモバイルデバイスによって検討することができる走査ファクタを決定するために電子デバイス内において実装することができるプロセス例を示した流れ図である。
【図３Ｂ】［００１６］幾つかの実装例による、後続する走査動作を変更する際にモバイルデバイスによって検討することができる走査ファクタを決定するために電子デバイス内において実装することができるプロセス例を示した流れ図である。
【図４】［００１７］幾つかの実装例による、後続する走査動作を変更する際にモバイルデバイスによって検討することができる走査ファクタを決定するための電子デバイス例の幾つかの特徴を例示した概略図である。
【図５】［００１８］幾つかの実装例による、後続する走査動作を変更することができるモバイルデバイス例の幾つかの特徴を例示した概略図である。
【発明を実施するための形態】
【００１５】
［００２１］モバイルデバイスは、動き回るのに応じて１つ以上の電子デバイスへの接続性を維持するのを追究することができる。例えば、無線デバイスが例えば１つ以上の通信及び／又はコンピューティングネットワーク、等によって提供することができる様々なサービスにアクセスするために無線接続性を維持するのが有益であろう。他の例においては、モバイルデバイスが取得された無線信号に基づいて様々な測位機能を実行する又はサポートするのが有益であろう。従って、モバイルデバイスは、取得すべき無線信号に関する走査を時折行うことができる。
【００１６】
［００２０］無線信号走査動作は、例えば、受動的走査動作、能動的走査動作、又はそれらの何らかの組み合わせを備えることができる。受動的走査動作に関しては、モバイルデバイスは、それ自体の無線信号を送信せずに受動的に無線信号を受信すること又は受信するのを試みることができる。能動的走査動作に関しては、モバイルデバイスは、例えば、その他の電子デバイスからの無線信号の送信を開始させるのを試みて能動的にそれ自体の無線信号を送信することができる。評価することができるように、モバイルデバイスは、走査動作を行う際に限られたコンピューティングリソース、メモリリソース、及び／又は利用可能な電力リソース（バッテリ、等）を消費することができる。
【００１７】
［００２１］多くの例において、モバイルデバイスが無線信号を送信した結果、能動的走査動作又は混合された能動的／受動的走査動作は、受動的走査動作の場合よりも多くの利用可能な電力リソースを消費する傾向がある。従って、可能な場合は、受動的走査動作は幾つかの状況下において行うのが有益であろう。しかしながら、受動的走査動作も限られたリソースを消費する傾向があるため、時には、リソースを節約する、効率を向上させる、等のために何らかの方法で受動的走査動作を制限すること又は可能なことに低減させるのも有益であろう。
【００１８】
［００２２］従って、本説明の幾つかの態様により、無線トランシーバデバイスによって送信された少なくとも第１の無線信号を取得し、及び、少なくとも部分的に第１の無線信号に基づいて無線信号に関する少なくとも１つの後続する走査を選択的に変更するモバイルデバイスを提供することができる。ここにおいてより詳細に説明されるように、幾つかの例においては、第１の無線信号は、後続する走査動作を変更する際にモバイルデバイスによって検討することができる１つ以上の走査ファクタを示すことができる。幾つかの例においては、該走査動作のうちの１つ以上は、受動的走査動作を備えることができる。実際、幾つかの実装においては、ここにおける技法は、受動的走査動作専用に実装することができる。しかしながら、幾つかのその他の実装においては、ここにおける技法は、結合された受動的／能動的走査動作のために、又は可能なことに能動的走査動作のためのみに実装することができる。従って、別の記載がない限り、用語“走査”は、受動的走査及び／又は能動的走査に適用することができる。
【００１９】
［００２３］幾つかの実装例においては、モバイルデバイスは、少なくとも第１の無線信号を解析すること、及び、少なくとも部分的には第１の無線信号に関する受信信号強度測定値、及び／又は第１の無線信号を送信する際に無線トランシーバデバイスによって加えられる決定された送信電力（例えば、受信信号強度測定値に基づいて概算／推定することができる）に基づいて後続する走査動作を選択的に変更することができる。
【００２０】
［００２４］幾つかの実装例においては、モバイルデバイスは、例えば、少なくとも部分的には第１の無線信号に基づいて走査スケジュールを変更することによって後続する走査動作を選択的に変更することができる。ここで、例えば、幾つかの例においては、走査スケジュールは、少なくとも部分的には、走査速度に基づくことができる（例えば、ある開始時間及び停止時間を指定する、及び／又は、可能なことに、周波数、パターン、等に基づいて走査速度を指定する）。従って、例えば、モバイルデバイスは、走査速度の周波数、等を変更することによって後続する走査動作を選択的に変更することができる。幾つかの例においては、ここにおいて説明されるように、モバイルデバイスによって入手することができる走査ファクタは、可能なことに特定の期間に対応する、特定の地域及び／又は位置に関する推奨される走査速度周波数を示すことができる。
【００２１】
［００２５］幾つかの実装においては、モバイルデバイスによって入手することができる走査ファクタは、例えば、特定の環境又はそれの一部分に関する走査動作、等に関して、１つ以上のモバイルデバイスから入手されたフィードバックに基づいて生成することができる。従って、幾つかの実装例においては、モバイルデバイスは、それ自体が、少なくとも１つのその他の電子デバイスに走査動作リポートを送信することができる。ここで、例えば、該走査動作リポートは、少なくとも部分的には、モバイルデバイスによって選択的に変更されている１つの後続する走査動作に基づくことができる。
【００２２】
［００２６］この序論を念頭において、今度は、（後続する）走査動作１０６を選択的に変更することが可能な装置１０４を有する少なくとも１つのモバイルデバイス１０２を備える配置例１００を示した概略的ブロック図である図１が注目される。幾つかの実装においては、モバイルデバイス１０２は、電子デバイス１１０内に配置することができる装置１１２から受信することができる１つ以上の走査ファクタ１１４に少なくとも部分的に基づいて走査動作１０６を選択的に変更することができる。図１において例示されるように、幾つかの例においては、電子デバイス１１０は、ここではアクセスポイント（ＡＰ）１４２−ｎによって代表される無線トランシーバデバイスの形態をとることができる。
【００２３】
［００２７］配置１００において示されるように、モバイルデバイス１０２は、特定の環境１０８内に位置するとして例示されている。例として、ここにおいて提示されるように、特定の環境１０８は、屋内環境の少なくとも一部分、及び／又は屋外環境の少なくとも一部分を表すことができる。従って、例えば、幾つかの実装においては、特定の環境１０８は、数例を挙げると、建物、キャンパス、屋外モール、砂浜／遊歩道、等の一部又は全体を表すことができる。
【００２４】
［００２８］図１において例示されるように、モバイルデバイス１０２は、様々なその他の電子デバイスから送信された様々な無線信号を取得することができ、様々なその他の電子デバイスの一部は、環境１０８内に物理的に位置することができ及びそれらの一部は、環境１０８の外部に位置することができる。この例においては、無線コンピューティング／通信ネットワーク１４０は、複数の無線トランシーバデバイスによって表され、無線信号１４４−１を送信することができるＡＰ１４２−１、無線信号１４４−２を送信することができるＡＰ１４２−２、．．．、及び無線信号１４４−ｎを送信することができるＡＰ１４２−ｎによって代表され、ここにおいて、ＡＰ１４２−ｎのみが環境１０８の外部に位置するとして例示される。幾つかの実装においては、幾つかの無線トランシーバデバイスは、１つ以上のその他のデバイスに無線信号を送信すること及び１つ以上のその他のデバイスから無線信号を受信することができる。幾つかの実装においては、幾つかの無線トランシーバデバイスは、無線信号のみを送信することに限定することができる。幾つかの実装においては、幾つかの無線トランシーバデバイスは、１つ以上のその他のデバイスにさらに結合することができる。ここで、例えば、ＡＰ１４２−１は、ネットワーク１２０への通信リンク１３８を有するとして例示される。幾つかの実装においては、１つ以上の無線トランシーバデバイスを、少なくとも部分的には、地上に基づく測位システムの一部として提供することができる。
【００２５】
［００２９］ネットワーク１２０は、有線及び／又は無線の電子通信をサポートすることが可能な１つ以上のその他の電子デバイス及び／又は通信施設／リソースの全体又は一部を代表することが意図される。従って、例えば、ネットワーク１２０は、電話ネットワーク、携帯電話ネットワーク、無線通信ネットワーク、イントラネット、インターネット、及び／又はそれらの何らかの組み合わせの全体又は一部を備えることができる。
【００２６】
［００３０］ネットワークと電子デバイス１１０との間の通信リンク１１８及び通信リンク１３８は、ここでは、“有線”通信リンクを代表するとして例示されるが、幾つかの例においては、これらの通信リンクは、１つ以上の有線及び／又は無線通信リンクを代表することができることが理解されるべきである。さらに、“有線”通信リンクは、導電性のワイヤ、ケーブル、等、及び／又は同様の光又はその他の波長伝導材、例えば、光ファイバケーブル、導波管、等を備えることができる。
【００２７】
［００３１］さらに例示されるように、幾つかの実装においては、配置１００は、１つ以上の宇宙測位システム（ＳＰＳ）１３０を備えることができ、それらは、少なくとも部分的に測位機能をサポートするためにモバイルデバイス１０２によって時折取得して使用することができる該当する無線信号を送信することができる。ここで、例えば、ＳＰＳ１３０は、複数の宇宙ビーイクル（ＳＶ）１３２を備えることができ、それらの各々は、１つ以上のＳＰＳ信号１３４を送信することができる。さらに、例えば、幾つかの実装においては、地上測位システムは、無線トランシーバデバイス、等を備えることができ、それらは、１つ以上の測位信号（例えば、無線信号１４４によって代表することができる）を送信することができる。
【００２８】
［００３２］今度は、少なくとも部分的に、走査動作１０６を変更するためにモバイルデバイス１０２内において実装することができるプロセス例２００を示した流れ図である図２Ａが注目される。
【００２９】
［００３３］ブロック例２０２においては、モバイルデバイス１０２は、無線トランシーバデバイスによって送信された少なくとも第１の無線信号を取得することができる。ここで、例えば、幾つかの実装においては、モバイルデバイスは、最初の走査動作を行うことができ、例えば、それは、受動的走査動作及び／又は能動的走査動作を備えることができる。幾つかの実装例においては、該第１の無線信号は、モバイルデバイス１０２によって実行される測位機能、等にとって有用であることができる測位ビーコン及び／又はその他の同様の信号を備えることができる。従って、例えば、幾つかの実装においては、第１の無線信号は、無線トランシーバデバイスに対応する一意の識別子（例えば、Ｍａｃアドレス）を示すことができる。
【００３０】
［００３４］幾つかの例においては、第１の無線信号は、無線トランシーバデバイスの位置、無線トランシーバデバイスを介して利用可能な潜在的サービス（該当する場合）、可能なことに特定の環境１０８の全体又は一部に関する入手可能なその他の情報、等、又はそれらの何らかの組み合わせの全部又は一部を示すことができる。
【００３１】
［００３５］幾つかの例においては、第１の無線信号は、１つ以上の走査ファクタ１１４を示すことができ、それらは、（後続する）走査動作１０６を変更する際に装置１０４によって検討することができる。幾つかの実装においては、１つ以上の走査ファクタのうちの全部又は一部は、少なくとも部分的には無線トランシーバデバイスによって生成しておくことができる。幾つかの実装においては、１つ以上の走査ファクタのうちの全部又は一部は、少なくとも部分的には無線トランシーバデバイスに結合することができる１つ以上のその他の電子デバイスによって生成しておくことができる。
【００３２】
［００３６］ブロック例２０４において、デバイス１０２は、モバイルデバイスが１つ以上の追加の無線信号を探索することができる及び／又は１つ以上の追加の無線信号を取得するのを試みることができる少なくとも１つの後続する走査動作１０６を選択的に変更することができる。ここで、例えば、デバイス１０２は、少なくとも部分的には第１の無線信号に基づいて少なくとも１つの後続する走査動作を選択的に変更することができる。
【００３３】
［００３７］今度は、少なくとも部分的に走査動作１０６を変更するためにモバイルデバイス１０２内において実装することができるプロセス例２２０を示した流れ図である図２Ｂが注目される。
【００３４】
［００３８］プロセス２００と同様に、ブロック例２０２において、モバイルデバイス１０２は、無線トランシーバデバイスによって送信された少なくとも第１の無線信号を取得することができ、ブロック例２０４において、デバイス１０２は、モバイルデバイスが１つ以上の追加の無線信号を探索することができる及び／又は１つ以上の追加の無線信号を取得するのを試みることができる少なくとも１つの後続する走査動作１０６を選択的に変更することができる。
【００３５】
［００３９］ブロック例２０６において、モバイルデバイス１０２は、少なくとも第１の無線信号に関してモバイルデバイスによって決定することができる受信信号強度測定値に少なくとも部分的に基づいて少なくとも１つの後続する走査動作を選択的に変更することができる。幾つかの例においては、該受信信号強度測定値は、例えば、後続する走査動作１０６を変更すべきかどうか及び／又はどれだけ変更すべきであるかを決定するために対応する信号強度スレショルド値とともに検討することができる。同様に、幾つかの例においては、ブロック２０６において、モバイルデバイス１０２は、少なくとも第１の無線信号に関してモバイルデバイスによって及び／又は少なくとも無線トランシーバデバイスによって決定することができる決定された送信電力に少なくとも部分的に基づいて少なくとも１つの後続する走査動作１０６を選択的に変更することができる。例えば、幾つかの例においては、送信電力は、ＡＰブロードキャスト、等において示すことができる。他の例においては、送信電力は、（例えば、既知の位置に関する）測定されたＲＳＳＩ及び予想されるＲＳＳＩを比較することに少なくとも部分的に基づいて決定することができる。幾つかの例においては、該決定された送信電力は、後続する走査動作１０６を変更すべきかどうか及び／又はどれだけ変更すべきであるかを決定するために対応する信号強度スレショルド値とともに検討することができる。
【００３６】
［００４０］さらに他の例として、ブロック２０８において、モバイルデバイス１０２は、少なくとも部分的には、走査スケジュールを変更する（例えば、修正する、変える、走査スケジュールに追加する、走査スケジュールから削除する、確立する、生成する、等）ことによって少なくとも１つの後続する走査動作１０６を選択的に変更することができる。例えば、走査スケジュールは、後続する走査動作に関する開始時間及び停止時間を示すことができ、従って、１つ以上の開始時間又は停止時間を変えることによって、モバイルデバイス１２は、該走査スケジュールを介して少なくとも１つの後続する走査動作１０６を選択的に変更することができる。
【００３７】
［００４１］さらに他の例として、ブロック２０８において、幾つかの例においては、走査スケジュールは、少なくとも部分的には走査速度に基づくことができ、モバイルデバイスは、該走査速度の周波数を変更することによって少なくとも１つの走査動作１０６を選択的に変更することができる。例えば、幾つかの例においては、モバイルデバイス１０２は、第１の無線信号に関する受信信号強度測定値が信号強度スレショルド値を満たしていないと決定したことに応答して該周波数を増大させることができる。逆に、幾つかの例においては、モバイルデバイス１０２は、受信信号強度測定値が信号強度スレショルド値を満たしていると決定したことに応答して該周波数を低減させることができる。同様に、幾つかの例においては、モバイルデバイス１０２は、第１の無線信号を送信する際に無線トランシーバデバイスによって加えられる決定された送信電力が送信電力スレショルド値を満たしていないと決定したことに応答して該周波数を増大させることができる。逆に、幾つかの例においては、モバイルデバイス１０２は、決定された送信電力が該送信電力スレショルド値を満たしていると決定したことに応答して該周波数を低減させることができる。幾つかのその他の例においては、モバイルデバイス１０２は、（例えば、デフォルトの走査速度に基づいて）識別された無線トランシーバデバイスの数を（例えば、ヒートマップに基づく）無線トランシーバデバイスの予想される数と比較することに少なくとも部分的に応答して及び／又は基づいて該周波数を低減させることができる。幾つかの実装例においては、走査速度は、位置フィックスレート（position fix rate）に合わせて同期化すること又は相殺することができる（例えば、位置フィックス（position fix）をどれだけの頻度で計算する、送信する、等ができるかを指定することができる）。例として、位置フィックスレートが１０秒である場合は、走査速度がスケジューリングされた位置フィックスよりもわずかに事前に走査を開始するのが有益であることができる。しかしながら、幾つかの例においては、位置フィックスレートが１秒である場合は、走査速度がｎ番目ごとの（例えば、５番目ごとの）スケジューリングされた位置フィックスよりも事前に走査を開始するのが有益であることができる。
【００３８】
［００４２］幾つかの例においては、ブロック例２１０において、モバイルデバイス１０２は、少なくとも部分的に１つ以上の走査ファクタ１１４に基づいて少なくとも１つの後続する走査動作１０６を選択的に変更することができ、それらは、１つ以上のその他の電子デバイスから受信することができる。例えば、幾つかの例においては、１つ以上の走査ファクタ１１４のうちの全部又は一部を、ブロック２０２において取得された第１の無線信号を介して入手することができる。
【００３９】
幾つかのその他の例においては、１つ以上の走査ファクタ１１４のうちの全部又は一部を、１つ以上のその他の無線信号及び／又はそれで搬送されたメッセージを介して入手することができる。実際、幾つかの例においては、モバイルデバイス１０２が１つ以上の走査ファクタ１１４のうちの全部又は一部を１つ以上のその他のモバイルデバイスから入手することが可能である。さらに、幾つかの例においては、１つ以上の走査ファクタ１１４のうちの全部又は一部を、様々なタイプのナビゲーション補助データ、等とともに入手することができる。
【００４０】
［００４３］走査ファクタ１１４は、例えば、少なくとも部分的にモバイルデバイスにとって役立つことができる１つ以上の無線トランシーバデバイスに関する情報を提供することができる。例えば、幾つかの例においては、走査ファクタ１１４は、近傍のモバイルデバイス１０２であることができる１つ以上の無線トランシーバデバイスを識別することができ、及び／又は、例えば、後続する変更された走査動作１０６の一部として、該無線トランシーバデバイスから無線信号を取得するように試みる際に検討することができる幾つかのパラメータを示すことができる。例として、幾つかの例においては、走査ファクタ１１４は、特定の周波数、周波数帯域、チャネル、等を識別することができ、それらに基づいて、モバイルデバイス１０２は、該トランシーバデバイスから無線信号を取得するのを試みる際に受信機をチューニングすることができる。
【００４１】
［００４４］幾つかの例においては、ブロック２１０において、検討することができる走査ファクタ１１４は、モバイルデバイスの位置、時間測定値、等、又はそれらの組み合わせに依存して変化することができる。従って、例えば、幾つかの例においては、走査ファクタ１１４は、環境内の特定の区域、例えば、オフィスの特定の部屋、建物の特定の床、特定の建物、特定のキャンパス、位置コンテキスト識別子（ＬＬＣ）によって識別可能な特定の区域、等、に関して適用可能であり、それらは、１つ以上の無線トランシーバデバイスの異なる動作モード／設定、利用可能／利用不能、等に対応することができる。同様に、例えば、幾つかの例においては、走査ファクタ１１４は、幾つかの日付、曜日、時刻、等を示す時間測定値に適用することができ、それらは、１つ以上の無線トランシーバデバイスの異なる動作モード／設定、利用可能／利用不能、等に対応することができる。
【００４２】
［００４５］幾つかの例においては、ブロック２１０において、走査ファクタ１１４は、推奨される走査速度周波数、等を示すことができ、それは、モバイルデバイス１０２が走査動作１０６を選択的に変更する際に検討することができる。例えば、幾つかの実装においては、走査ファクタ１１４は、少なくとも部分的には、特定の環境１０８に関する複数のモバイルデバイスからの複数の走査動作リポートを介して収集された情報に基づくことができる。実際、幾つかの例においては、走査動作リポートは、その他のモバイルデバイスによって行われた変更された後続する走査動作、又は、可能なことに、後続する走査動作に関してその他のモバイルデバイスによって使用される幾つかの決定要因及び／又は入手可能な情報、該後続する走査動作が有益であるか又は有害であるかが証明されたかどうか、等を示すことができる。
【００４３】
［００４６］従って、装置１１２は、特定の環境内又はその一部における走査に関する様々な履歴的情報及び／又は収集された知識を検討することができる。従って、例えば、幾つかの例においては、走査ファクタ１１４は、モバイルデバイス１０２内の装置１０４によって検討することができる特定の走査周波数を示すことができる。
【００４４】
［００４７］実際、幾つかの実装においては、異なる走査ファクタ（例えば、走査周波数、等）を特定の環境に関連する様々な距離、位置、等によって指定することができるという点で、走査ファクタ１１４は、確率無線信号ヒートマップに類似する形態をとることができる。例えば、幾つかの例においては、特定の地点（例えば、デフォルトの基準地点、無線トランシーバデバイスの位置、等）からの距離の関数として及び／又は特定の環境内の指定された位置（例えば、格子座標、部屋識別子、等）の関数として走査周波数を示すために線形関数又は離散関数を使用することができる。
【００４５】
［００４８］幾つかの例においては、ブロック２１０において、走査ファクタ１１４は、提案される走査限界を示すことができる。ここで、例えば、幾つかの例においては、提案される走査限界は、走査ファクタ１１４に関連する１つ以上の条件付き態様を示すことができる。幾つかの例においては、提案される走査限界は、１つ以上の信号周波数、信号周波数帯域、チャネル、等を示すことができ、それらは、特定の無線トランシーバデバイス及び／又はモバイルデバイス１２によって使用することができる幾つかの対応する無線信号に関連することができる。逆に、幾つかの例においては、提案される走査限界は、１つ以上の信号周波数、信号周波数帯域、チャネル、等を示すことができ、それらは、１つ以上の後続する走査動作においてはスキップすること、避けること、等ができる。幾つかの例においては、提案される走査限界は、１つ以上の（能動的）走査動作において適用することができる送信電力、アンテナ選択、プロトコル、メッセージ、等を示すことができる。
【００４６】
［００４９］幾つかの例においては、モバイルデバイス１０２は、ブロック２０４において、少なくとも部分的には提案される走査限界に基づいて後続する走査動作１０６を選択的に変更することができる。そうすることによって、幾つかの実装においては、モバイルデバイス１０２は、特定の環境内及び／又はその一部分内では簡単には利用することができない無線信号／送信機に関して受動的走査及び／又は可能なことに能動的走査を行うための時間／リソースを浪費するのを回避することができる。従って、走査ファクタ１１４は、モバイルデバイスが走査動作をいつ及び／又はどのように行うのが最良であるかに関してより多くの情報を得られた状態での決定を行うのを可能にすることができる。
【００４７】
［００５０］ブロック例２１２は、破線のボックスを用いて描かれる図２及び図３のプロセス例におけるその他のブロックと同様に、任意選択であることができる。ブロック例２１２において、モバイルデバイス１０２は、少なくとも１つのその他の電子デバイスに走査動作リポートを送信することができる。従って、例えば、ブロック例２１２を介して、モバイルデバイス１０２は、クラウドソーシングに参加すること及び／又は特定の環境１０８の全体又は一部に対応し及び走査動作、等に関連しており、モバイルデバイス１０２によって既に検討及び／又は適用していることができる様々な情報を示すフィードバックを単に提供することができる。実際、既述のように、幾つかの例においては、１つ以上の走査ファクタ１１４を変更するために何らかの方法で解析及び／又は処理することができ、次に、特定の環境１０８の全体又は一部内においてナビゲーションする前に及び／又はナビゲーションしている間に１つ以上のモバイルデバイスに提供することができる複数の走査動作リポート、等を装置１１２が入手するのが有益であることができる。
【００４８】
［００５１］今度は、走査ファクタ１１４を生成するために装置１１２を備える電子デバイス１１０及び／又はその他の同様のデバイスに実装することができるプロセス例３００を示した流れ図である図３Ａが注目される。
【００４９】
［００５２］ブロック例３０２において、装置１１２は、少なくとも部分的には無線トランシーバデバイスによって送信された少なくとも無線信号に基づいて（例えば、モバイルデバイス１０２によって検討するために）少なくとも１つの走査ファクタ１１４を決定することができる。従って、幾つかの実装においては、装置１１２は、特定の位置１０８の物理的内部に及び／又は物理的外部に（可能な場合は物理的付近に）において配置することができる１つ以上の無線トランシーバデバイス、等において提供することができる。従って、装置１１２は、幾つかの例においては、可能なことにモバイルデバイスと同様の方法で、その他の無線トランシーバデバイスによって送信された様々な無線信号を取得することができる。従って、装置１１２は、１つ以上の近隣の無線トランシーバデバイスに関する情報を知ることができ、それは、少なくとも１つの走査ファクタ１１４を決定する際に検討することができる。例えば、幾つかの例においては、装置１１２は、１つ以上の近隣の無線トランシーバデバイスを識別するための１つ以上の走査ファクタ１１４、及び／又はそれらによって送信される信号、及び／又はそれらに対応するその他のファクタ／条件を生成することができる。
【００５０】
［００５３］ブロック例３１２において、装置１１２は、少なくとも１つの走査ファクタを示す１つ以上のメッセージをモバイルデバイスに（直接又は間接的に）送信するのを開始する。幾つかの例においては、装置１１２は、例えば、時々、聴いているモバイルデバイス及び／又はその他の電子デバイスによる受信のために１つ以上の信号ブロードキャストを介して該メッセージの送信を開始することができる。幾つかの例においては、装置１１２は、例えば、走査ファクタ、及び／又は（特定の環境１０８の全体又は一部に対応する）その他の同様の補助データを求める要求に応答して、該メッセージを１つ以上の特定のモバイルデバイスに送信することができる。
【００５１】
［００５４］今度は、少なくとも部分的に、走査ファクタ１１４を生成するために装置１１２を備える電子デバイス及び／又はその他の同様のデバイス内において実装することができるプロセス例３２０を示した流れ図である図３Ｂが注目される。
【００５２】
［００５５］ブロック例３０２において、装置１１２は、少なくとも部分的に無線トランシーバデバイスによって送信された少なくとも無線信号に基づいて（例えば、モバイルデバイス１０２による検討のために）少なくとも１つの走査ファクタ１１４を決定することができる。従って、幾つかの実装においては、装置１１２は、特定の位置１０８の物理的内部に及び／又は物理的外部に（可能なことに物理的付近に）において配置することができる１つ以上の無線トランシーバデバイス、等において提供することができる。従って、装置１１２は、幾つかの例においては、可能なことにモバイルデバイスと同様の方法で、その他の無線トランシーバデバイスによって送信された様々な無線信号を取得することができる。従って、装置１１２は、１つ以上の近隣の無線トランシーバデバイスに関する情報を知ることができ、それは、少なくとも１つの走査ファクタ１１４を決定する際に検討することができる。例えば、幾つかの例においては、装置１１２は、１つ以上の近隣の無線トランシーバデバイスを識別するための１つ以上の走査ファクタ１１４、及び／又はそれらによって送信される信号、及び／又はそれらに対応するその他のファクタ／条件を生成することができる。
【００５３】
［００５６］従って、幾つかの実装例においては、ブロック例３０４において、装置１１２は、少なくとも部分的に無線信号に関する受信信号測定値及び可能なことに信号強度スレショルド値を検討することによって１つ以上の走査ファクタを決定すること、及び／又は決定された送信電力及び可能なことに送信電力スレショルド値を検討することができる。
【００５４】
［００５７］幾つかの実装例においては、ブロック例３０６において、装置１１２は、モバイルデバイスの位置及び／又は何らかの時間測定値を条件とする及び／又はモバイルデバイスの位置及び／又は何らかの時間測定値に依存する１つ以上の走査ファクタを決定することができ、それらのうちの幾つかの例については以前に説明されている。
【００５５】
［００５８］幾つかの実装例においては、ブロック例３０８において、装置１１２は、推奨される走査速度周波数及び／又は提案される走査限界を示す走査ファクタを決定することができ、それらのうちの幾つかの例については以前に説明されている。
【００５６】
［００５９］幾つかの実装例においては、ブロック３１０において、装置１１２は、少なくとも部分的には例えば、モバイルデバイスから入手することができる少なくとも１つの走査動作リポートを検討することによって走査ファクタを決定することができる。実際、前述されるように、幾つかの例においては、走査ファクタを生成する際には複数のモバイルデバイスからの複数の走査動作リポートを解析すること及び／又はその他の形で検討することができる。
【００５７】
［００６０］ブロック例３１２において、装置１１２は、少なくとも１つの走査ファクタを示す１つ以上のメッセージを（直接又は間接的に）モバイルデバイスに送信することを開始する。幾つかの例においては、装置１１２は、例えば、時々、聴いているモバイルデバイス及び／又はその他の電子デバイスによる受信のために１つ以上の信号ブロードキャストを介して該メッセージの送信を開始することができる。幾つかの例においては、装置１１２は、例えば、走査ファクタ、及び／又は（特定の環境１０８の全体又は一部に対応する）その他の同様の補助データを求める要求に応答して、該メッセージを１つ以上の特定のモバイルデバイスに送信することができる。
【００５８】
［００６１］今度は、電子デバイス１１０の一部として提供することができる特殊なコンピューティングプラットフォーム例４００、及びここにおいて提供される装置１１２の幾つかの特徴を例示する概略的ブロック図である図４が注目される。幾つかの実装においては、電子デバイス１１０は、無線トランシーバデバイス、例えば、アクセスポイント、等、の形態をとることができる。
【００５９】
［００６２］例示されるように、特殊なコンピューティングプラットフォーム４００は、１つ以上の接続４０６（例えば、１つ以上の導電体、１つ以上の導電路、１つ以上のバス、１つ以上の光ファイバ路、１つ以上の回路、１つ以上のバッファ、１つ以上の送信機、１つ以上の受信機、等）を介してメモリ４０４に結合された（ここにおいて提供される技法、装置１１２）に従ってデータ処理を行うために１つ以上の処理ユニット４０２を備えることができる。処理ユニット４０２は、例えば、ハードウェア又はハードウェアとソフトウェアの組み合わせ内において実装することができる。処理ユニット４０２は、データコンピューティング手順又はプロセスの少なくとも一部分を実行するように構成することができる１つ以上の回路を代表することができる。例として、ただし、限定することなしに、処理ユニットは、１つ以上のプロセッサ、コントローラ、マイクロプロセッサ、マイクロコントローラ、特定用途向け集積回路、デジタル信号プロセッサ、プログラマブルロジックデバイス、フィールドプログラマブルゲートアレイ、等、又はそれらのあらゆる組み合わせを含むことができる。
【００６０】
［００６３］メモリ４０４は、あらゆるデータ記憶メカニズムを代表することができる。メモリ４０４は、例えば、一次メモリ４０４−１及び／又は二次メモリ４０４−２を含むことができる。一次メモリ４０４−１は、例えば、ランダムアクセスメモリ、読み取り専用メモリ、等を備えることができる。この例では処理ユニットとは別個のものとして例示されているが、一次メモリの全体又は一部を、処理ユニット４０２、又は電子デバイス１１０内のその他の同様の回路内において提供すること、処理ユニット４０２、又は電子デバイス１１０内のその他の同様の回路と共配置／結合することができる。二次メモリ４０４−２は、例えば、一次メモリと同じ又は同様のタイプのメモリ及び／又は１つ以上のデータ記憶デバイス又はシステム、例えば、ディスクドライブ、光ディスクドライブ、テープドライブ、ソリッドモーションステートメモリドライブ、等を備えることができる。
【００６１】
［００６４］幾つかの実装においては、二次メモリは、非混合（ｎｏｎ−ｂｌｅｎｄｅｄ）のコンピュータによって読み取り可能な媒体４２０を動作可能な形で受け入れることができ又は結合するように構成可能である。メモリ４０４及び／又は非混合のコンピュータによって読み取り可能な媒体４２０は、例えば、ここにおいて提供される適用可能な技法に従って、データ処理を行う際に使用するための命令４２２を備えることができる。
【００６２】
［００６５］特殊なコンピューティングプラットフォーム４００は、例えば、１つ以上のネットワークインタフェースユニット４０８をさらに備えることができる。ネットワークインタフェースユニット４０８は、例えば、ここにおいては１つ以上の受信機４１０及び１つ以上の送信機４１２によって代表される１つ以上の有線及び／又は無線の通信インタフェースを備えることができる。幾つかの実装においては、通信インタフェース４０８は、１つ以上のトランシーバ、等を備えることができることが理解されるべきである。さらに、示されていないが、通信インタフェース４０８は、通信インタフェースの機能／能力を考慮した場合に適用可能である１つ以上のアンテナ及び／又はその他の回路を備えることができる。
【００６３】
［００６６］幾つかの実装例により、ネットワークインタフェースユニット４０８は、例えば、様々な有線通信ネットワーク、例えば、電話システム、ローカルエリアネットワーク、ワイドエリアネットワーク、パーソナルエリアネットワーク、イントラネット、インターネット、等、とともに使用するのを可能にすることができる。
【００６４】
［００６７］幾つかの実装例により、ネットワークインタフェースユニット４０８及び／又は５０８（図５参照）は、例えば、様々な無線通信ネットワーク、例えば、ワイヤレスワイドエリアネットワーク（ＷＷＡＮ）、ワイヤレスローカルエリアネットワーク（ＷＬＡＮ）、ワイヤレスパーソナルエリアネットワーク（ＷＰＡＮ）、等とともに使用するのを可能にすることができる。用語“ネットワーク”及び“システム”は、ここにおいては互換可能な形で使用することができる。ＷＷＡＮは、符号分割多元接続（ＣＤＭＡ）ネットワーク、時分割多元接続（ＴＤＭＡ）ネットワーク、周波数分割多元接続（ＦＤＭＡ）、直交周波数分割多元接続（ＯＦＤＭＡ）ネットワーク、単一搬送波周波数分割多元接続（ＳＣ−ＦＤＭＡ）ネットワーク、等であることができる。ＣＤＭＡネットワークは、１つ以上の無線アクセス技術（ＲＡＴ）、例えば、数例を挙げると、ｃｄｍａ２０００、ワイドバンドＣＤＭＡ（Ｗ−ＣＤＭＡ）、時分割同期符号分割多元接続（ＴＤ−ＳＣＤＭＡ）、を実装することができる。ここで、ｃｄｍａ２０００は、ＩＳ−９５規格、ＩＳ−２０００規格、及びＩＳ−８５６規格に準拠して実装される技術を含むことができる。ＴＤＭＡネットワークは、グローバル移動通信システム（ＧＳＭ（登録商標））、デジタルアドバンスト携帯電話システム（Ｄ−ＡＭＢＰ能力）、又はその他のＲＡＴを実装することができる。ＧＳＭ及びＷ−ＣＤＭＡは、“第三世代パートナーシッププロジェクト”（３ＧＰＰ）という名称のコンソーシアムからの文書において記述される。ｃｄｍａ２０００は、第三世代パートナーシッププロジェクト２”（３ＧＰＰ２）という名称のコンソーシアムからの文書において記述される。３ＧＰＰ及び３ＧＰＰ２文書は、公に入手可能である。ＷＬＡＮは、ＩＥＥＥ８０２．１１ｘネットワークを含むことができ、ＷＰＡＮは、Ｂｌｕｅｔｏｏｔｈ（登録商標）ネットワーク、ＩＥＥＥ８０２．１５ｘ、等を含むことができる。無線通信ネットワークは、いわゆる次世代技術（例えば、“４Ｇ”）、例えば、ロングタームエボリューション（Ｌｏｎｇ  Ｔｅｒｍ  Ｅｖｏｌｕｔｉｏｎ）（ＬＴＥ）、アドバンストＬＥＴ、ＷｉＭＡＸ、ウルトラモバイルブロードバンド（ＵＭＢ）、等を含むことができる。さらに、通信インタフェース４０８は、１つ以上のその他のデバイスとの赤外線に基づく通信をさらに提供することができる。ＷＬＡＮは、例えば、ＩＥＥＥ８０２．１１ｘネットワークを備えることができ、ＷＰＡＮは、例えば、Ｂｌｕｅｔｏｏｔｈネットワーク、ＩＥＥＥ８０２．１５ｘを備えることができる。ここにおいて説明される無線通信実装は、ＷＷＡＮ、ＷＬＡＮ又はＷＰＡＮのあらゆる組み合わせと関連して使用することもできる。
【００６５】
［００６８］電子デバイス１１０は、例えば、１つ以上の入力／出力ユニット４１４をさらに備えることができる。入力／出力ユニット４１４は、１つ以上のその他のデバイス及び／又はユーザから入力を入手するために及び／又は１つ以上のその他のデバイス及び／又はユーザに出力を提供するために使用することができる１つ以上のデバイス又はその他の同様のメカニズムを代表することができる。従って、例えば、入力／出力ユニット４１４は、１つ以上のユーザ入力を受信するために使用することができる様々なボタン、スイッチ、タッチパッド、トラックボール、ジョイスティック、タッチ画面、キーボード、等を備えることができる。幾つかの例においては、入力／出力ユニット４１４は、ビジュアル出力、可聴出力、及び／又は触覚出力をユーザのために生成する際に使用することができる様々なデバイスを備えることができる。例えば、入力／出力ユニット４１４は、ビデオ表示、図形ユーザインタフェース、等を表示メカニズム上において提示するために使用することができる。
【００６６】
［００６９］今度は、モバイルデバイス１０２、及び／又はそこにおいて提供される装置１０４の一部として提供することができる特殊なコンピューティングプラットフォーム例５００の幾つかの特徴を例示した概略的ブロック図である図５が注目される。
【００６７】
［００７０］例示されるように、特殊なコンピューティングプラットフォーム例５００は、１つ以上の接続５０６（例えば、１つ以上の導電体、１つ以上の導電路、１つ以上のバス、１つ以上の光ファイバ路、１つ以上の回路、１つ以上のバッファ、１つ以上の送信機、１つ以上の受信機、等）を介してメモリ５０４に結合された（ここにおいて提供される技法、装置１０４に従ってデータ処理を行うために）１つ以上の処理ユニット５０２を備えることができる。処理ユニット５０２は、例えば、ハードウェア又はハードウェアとソフトウェアの組み合わせ内において実装することができる。処理ユニット５０２は、データコンピューティング手順又はプロセスの少なくとも一部分を実行するように構成することができる１つ以上の回路を代表することができる。例として、ただし、限定することなしに、処理ユニットは、１つ以上のプロセッサ、コントローラ、マイクロプロセッサ、マイクロコントローラ、特定用途向け集積回路、デジタル信号プロセッサ、プログラマブルロジックデバイス、フィールドプログラマブルゲートアレイ、等、又はそれらのあらゆる組み合わせを含むことができる。
【００６８】
［００７１］メモリ５０４は、あらゆるデータ記憶メカニズムを代表することができる。メモリ５０４は、例えば、一次メモリ５０４−１及び／又は二次メモリ５０４−２を含むことができる。一次メモリ５０４−１は、例えば、ランダムアクセスメモリ、読み取り専用メモリ、等を備えることができる。この例では処理ユニットとは別個のものとして例示されているが、一次メモリの全体又は一部を、処理ユニット５０２、又はモバイルデバイス１０２内のその他の同様の回路内において提供すること、処理ユニット５０２、又はモバイルデバイス１０２内のその他の同様の回路と共配置／結合することができる。二次メモリ５０４−２は、例えば、一次メモリと同じ又は同様のタイプのメモリ及び／又は１つ以上のデータ記憶デバイス又はシステム、例えば、ディスクドライブ、光ディスクドライブ、テープドライブ、ソリッドモーションステートメモリドライブ、等を備えることができる。
【００６９】
［００７２］幾つかの実装においては、二次メモリは、非混合（ｎｏｎ−ｂｌｅｎｄｅｄ）のコンピュータによって読み取り可能な媒体５２０を動作可能な形で受け入れることができ又は結合するように構成可能である。メモリ５０４及び／又は非混合のコンピュータによって読み取り可能な媒体５２０は、例えば、ここにおいて提供される適用可能な技法に従って、データ処理を行う際に使用するための命令５２２を備えることができる。
【００７０】
［００７３］特殊なコンピューティングプラットフォーム５００は、例えば、１つ以上のネットワークインタフェースユニット５０８をさらに備えることができる。ネットワークインタフェースユニット５０８は、例えば、ここにおいては１つ以上の受信機５１０及び１つ以上の送信機５１２によって代表される１つ以上の有線及び／又は無線の通信インタフェースを備えることができる。幾つかの実装においては、ネットワークインタフェースユニット５０８は、１つ以上のトランシーバ、等を備えることができることが理解されるべきである。さらに、示されていないが、ネットワークインタフェースユニット５０８は、通信インタフェースの機能／能力を考慮した場合に適用可能である１つ以上のアンテナ及び／又はその他の回路を備えることができることが理解されるべきである。
【００７１】
［００７４］幾つかの実装例により、ネットワークインタフェースユニット５０８は、例えば、様々な有線通信ネットワーク、例えば、電話システム、ローカルエリアネットワーク、ワイドエリアネットワーク、パーソナルエリアネットワーク、イントラネット、インターネット、等、とともに使用するのを可能にすることができる。
【００７２】
［００７５］モバイルデバイス１０２は、例えば、１つ以上の入力／出力ユニット５１４をさらに備えることができる。入力／出力ユニット５１４は、１つ以上のその他のデバイス及び／又はユーザから入力を入手するために及び／又は１つ以上のその他のデバイス及び／又はユーザから出力を提供するために使用することができる１つ以上のデバイス又はその他の同様のメカニズムを代表することができる。従って、例えば、入力／出力ユニット５１４は、１つ以上のユーザ入力を受信するために使用することができる様々なボタン、スイッチ、タッチパッド、トラックボール、ジョイスティック、タッチ画面、キーボード、等を備えることができる。幾つかの例においては、入力／出力ユニット５１４は、ビジュアル出力、可聴出力、及び／又は触覚出力をユーザのために生成する際に使用することができる様々なデバイスを備えることができる。例えば、入力／出力ユニット５１４は、表示メカニズム及び／又は音声メカニズムを介して、ビデオ表示、図形ユーザインタフェース、測位及び／又はナビゲーションに関連する情報、電子マップのビジュアル表現、ルーティング指示、等を提示するために使用することができる。
【００７３】
［００７６］モバイルデバイス１０２は、例えば、１つ以上のセンサ５１６を備えることができる。例えば、センサ５１６は、特定の環境１０８において発生することがある幾つかの大気現象又はその他の同様の現象を測定する際に役立つことができる１つ以上の環境センサを代表することができる。例えば、センサ５１６は、１つ以上の慣性センサを代表することができ、それらは、特定の環境１０８及び／又はその中でのモバイルデバイス１０２の移動の幾つかの態様を検出するのに役立つことができる。従って、例えば、センサ５１６は、１つ以上の加速度センサ、１つ以上のジャイロスコープ又はジャイロメータ、１つ以上の磁気計、１つ以上の気圧計、１つ以上の温度計、１つ以上の粒子検出器、等を備えることができる。さらに、幾つかの例においては、センサ５１６は、１つ以上の入力デバイス、例えば、マイク、カメラ、光センサ、等を備えること及び／又はセンサ５１６は、１つ以上の入力デバイス、例えば、マイク、カメラ、光センサ、等の形態をとることができる。
【００７４】
［００７７］ＳＰＳ受信機５１８は、１つ以上のアンテナ（示されていない）を介して無線信号１３４を取得することができる。ＳＰＳ受信機５１８は、モバイルデバイス１０２の位置及び／又は動きを推定するために取得された無線信号１３４の全体又は一部を処理することもできる。幾つかの例においては、ＳＰＳ受信機５１８は、１つ以上の処理ユニット（示されていない）、例えば、１つ以上の汎用プロセッサ、１つ以上のデジタル信号プロセッサＤＳＰ、取得されたＳＰＳ信号の全体又は一部を処理するために利用することもできる１つ以上の専用プロセッサを備えることができ、及び／又は、モバイルデバイス１０２の推定位置を計算することができる。幾つかの実装においては、取得されたＳＰＳ信号の該処理全体又は一部は、ＳＰＳ受信機５１８と共同で、モバイルデバイス内のその他の能力、例えば、処理ユニット５０２、メモリ５０４、等によって実行することができる。測位動作を行う際に使用するためのＳＰＳ又はその他の信号の格納は、メモリ５０４又はレジスタ（示されていない）において行うことができる。
【００７５】
［００７８］幾つかの例においては、センサ５１６は、１つ以上のアプリケーション、例えば、少なくとも部分的に１つ以上の測位機能に基づいた測位動作又はナビゲーション動作向けのアプリケーション、をサポートして、メモリ５０４に格納してＤＳＰ（示されていない）又は処理ユニット５０２によって処理することができるアナログ信号又はデジタル信号を生成することができる。
【００７６】
［００７９］処理ユニット５０２は、ネットワークインタフェースユニット５０８の受信機５１０又はＳＰＳ受信機５０９において取得されてダウンコンバージョンされた信号のベースバンド処理を行うことが可能な専用モデムプロセッサ、等を備えることができる。同様に、モデムプロセッサ、等は、（無線）送信機５１２による送信のためにアップコンバージョンされるべき信号のベースバンド処理を行うことができる。代替実装においては、専用モデムプロセッサを有する代わりに、ベースバンド処理は、汎用プロセッサ又はＤＳＰ（例えば、汎用／アプリケーションプロセッサ）によって行うことができる。しかしながら、これらはベースバンド処理を行うことができる構造の単なる例であること、及び、請求される主題はこの点に関して限定されないことが理解されるべきである。さらに、ここにおいて提供される技法例は、様々な異なる電子デバイス、モバイルデバイス、送信デバイス、環境、位置フィックスモード、等に合わせて好適化することができることが理解されるべきである。
【００７７】
［００８０］幾つかの実装例により、無線トランシーバデバイスは、ＩＥＥＥｓｔｄ．８０２．１１アクセスポイント（ＡＰ）を備えることができ、それは、例えば、無線トランシーバデバイスの範囲内のモバイルデバイスがサービスアクセスを要求するのを可能にするための定期的なビーコン信号を送信することができる。例えば、データを送信することを希望するモバイルデバイスは、フレーム送信要求（ＲＴＳ）を無線トランシーバデバイスに送信することによって無線トランシーバデバイスへのアクセスを入手するためのプロセスを開始することができる。受信する無線トランシーバデバイスは、フレーム送信クリア（ＣＴＳ）を用いて返答することができる。ＣＴＳを取得するために、モバイルデバイスは、ＣＴＳを送信するために無線トランシーバデバイスによって適用されている特定の送信周波数で“聴く”ために受信機をチューニングすることができる。
【００７８】
［００８１］特定の動作上の用途、例えば、ＣＴＳの取得、においては、モバイルデバイスが例えばＭＡＣアドレス、等の一意の識別子によって特定の無線トランシーバデバイスを識別するのが役立つことができる。無線トランシーバデバイスによって送信された（ビーコン）無線信号の効率的な取得を可能にするために、該モバイルデバイスが、無線トランシーバデバイスが送信中である特定の周波数チャネルを知っているのがさらに役立つことができる。例えば、モバイルデバイスは、例えば、ＭＡＣアドレス及び無線トランシーバデバイスが現在ビーコン信号を送信中である周波数チャネルを含む無線トランシーバデバイスの記録を維持することができる。前述されるように、幾つかの実装においては、モバイルデバイスは、無線トランシーバデバイスに関して受動的に走査することができる。一例においては、該走査動作は、少なくとも部分的には、走査中の周波数チャネルを設定し及び該周波数チャネルを使用するように構成された無線トランシーバデバイスからの定期的なビーコン信号を待つようにモバイルデバイス内の受信機を変更することによって行うことができる。幾つかの実装例においては、無線トランシーバデバイスは、１００ｍｓごとにビーコン信号を送信することができる。残念なことに、前述されるように、過度の走査は限られたリソースを消費する傾向があるため望ましくない。
【００７９】
［００８２］前述されるように、幾つかの実装例においては、モバイルデバイスは、送信された無線信号の検出／取得のために受動的に走査する速度が変化するような形で後続する走査動作を変更することができる。例として、モバイルデバイスは、少なくとも部分的には１つ以上の無線トランシーバデバイスの決定された送信電力に基づいて後続する走査動作を変更することができる。これは、バッテリを枯渇させるおそれがある及び／又は効率に影響を及ぼすおそれがある不必要な走査を低減させることができる。幾つかの実装例においては、モバイルデバイスは、無線トランシーバデバイスから取得された無線信号の最低受信信号強度表示（ＲＳＳＩ）を評価すること及び送信電力を推測することができる。一実装においては、モバイルデバイスは、複数の個別の電力レベル、例えば、電力レベル１乃至７を定義することができ、レベル１が最も強く、レベル１０が最も弱い。モバイル通信デバイスは、走査速度を決定するために次のプロセスを適用することができる。すなわち、ＡＰが電力レベル１乃至３（強い）で送信し、１０秒ごとに１回走査する。ＡＰが電力レベル４乃至６で送信し、６秒ごとに１回走査する。ＡＰがレベル７以下（弱い）で送信し、３秒ごとに１回走査する（レベルは、走査されたＡＰからの最低ＲＳＳＩ、送信、等に基づくことができる）。
【００８０】
［００８３］代替として、送信電力が知られていないか又は推測するのが困難である場合で、モバイルデバイス位置に対する無線トランシーバデバイスの位置が知られている場合で、最強のＡＰがＲＳＳＩ＜Ｔｈｒ（−６０ｄＢ）で聞こえる場合は、ＡＰ送信電力が低く、モバイルデバイスが後続する走査動作の周波数を増大することができることを意味する。さらに他の代替においては、ＲＴＳ／ＣＴＳシーケンスは、モバイルデバイス位置からある一定の半径内のすべてのＡＰに関して実行することができる。
【００８１】
［００８４］さらに他の実装においては、装置１１２（少なくとも部分的には、ＡＰ内に配置することができる）は、リッスンし、その他のローカルの又は隣接するＡＰのビーコンを見つけること及び見つけられたビーコンのアイデンティティ、例えば、１つ以上の走査ファクタ、を見つけることができる。見つけるＡＰのビーコンを取得するモバイルデバイス１０２は、ローカルＡＰのアイデンティティ及びそれらのローカルＡＰが各々のビーコン信号を送信中の周波数チャネルを決定することができる。
【００８２】
［００８５］ここにおいて説明される技法は、特定の特徴及び／又は例により用途に依存して様々な手段によって実装することができる。例えば、該方法は、ハードウェア、ファームウェア、及び／又はそれらの組み合わせ内においてソフトウェアとともに実装することができる。例えば、ハードウェア実装においては、処理ユニットは、ここにおいて説明される機能を果たすように設計された１つ以上の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、プロセッサ、コントローラ、マイクロコントローラ、マイクロプロセッサ、電子デバイス、その他のデバイスユニット、及び／又はそれらの組み合わせ内に実装することができる。
【００８３】
［００８６］上の発明を実施するための形態では、請求される主題に関する徹底的な理解を提供するために数多くの具体的な詳細が示されている。しかしながら、請求される主題はこれらの具体的な詳細なしで実践できることが当業者によって理解されるであろう。その他の例においては、当業者によって知られることになる方法及び装置は、請求される主題を曖昧にしないようにするために詳細には説明されていない。
【００８４】
［００８７］上の発明を実施するための形態の幾つかの部分は、特定の装置又は専用コンピューティングデバイス又はプラットフォームのメモリ内に格納されたバイナリデジタル電子信号に関するアルゴリズム又はシンボル表現の点で提示されている。本特定の明細書の文脈において、用語特定の装置、等は、プログラムソフトウェアからの命令に従って特定の機能を実行するようにプログラミングされた時点での汎用コンピュータを含む。アルゴリズムの記述又はシンボル表現は、自己の作業の実質をその他の当業者に伝えるための信号処理又は関連する技法において当業者によって使用される技法の例である。アルゴリズムは、ここでは、及び概して、希望される結果に結び付く動作又は同様の信号処理のセルフコンシステント（ｓｅｌｆ−ｃｏｎｓｉｓｔｅｎｔ）なシーケンスであるとみなされる。この文脈では、動作又は処理は、物理量の物理的取り扱いを含む。典型的には、必ずしもではないが、該量は、情報を表現する電子信号として格納、転送、結合、比較又は処理することが可能な電気信号又は磁気信号の形態をとることができる。主に共通の使用法を理由として、該信号は、時にはビット、データ、値、要素、シンボル、文字、用語、数、数字、情報、等として言及するのが便利であることが証明されている。しかしながら、これらの又は同様の用語はすべて該当する物理量と関連付けられるべきであり、単なる便利なラベルであるにすぎないことが理解されるべきである。別の特記がされていないかぎり、以下の説明から明らかなように、本明細書全体を通じて、“処理する”、“コンピューティングする”、“計算する”、“決定する”、“生成する”、“入手する”、“修正する”、“選択する”、“識別する”、等の表現を利用する説明は、特定の装置、例えば、専用コンピュータ又は同様の専用電子的コンピューティングデバイス、の動作又はプロセスを意味する。従って、本明細書の文脈においては、専用コンピュータ又は同様の専用電子的コンピューティングデバイスは、典型的には、専用コンピュータ又は同様の専用電子的コンピューティングデバイスのメモリ、レジスタ、その他の情報記憶デバイス、送信デバイス、又は、表示装置内の物理量、電子量又は磁気量として表される信号を取り扱うこと又は変形させることが可能である。この特定の特許出願の文脈において、用語“特定の装置”は、プログラムソフトウェアからの命令に従って特定の機能を実行するようにプログラミングされた時点での汎用コンピュータを含むことができる。
【００８５】
［００８８］表現“及び”、“又は”、及び“及び／又は”は、ここにおいて使用される場合は、該用語が使用される文脈に少なくとも部分的に依存することも予想される様々な意味を含むことができる。典型的には、“又は”は、Ａ、Ｂ又はＣ、等のリストを関連付けるために使用される場合は、Ａ、Ｂ及びＣを意味し、ここでは包含的意味で使用され、及び、Ａ、Ｂ又はＣを意味し、ここでは排他的意味で使用される。さらに、表現“１つ以上”は、ここにおいて使用される場合は、あらゆる特徴、構造、又は特性を単数形で説明するために使用することができ、又は、複数の特徴、構造又は特性又はそれらの何らかのその他の組み合わせを説明するために使用することができる。しかしながら、これは単なる例であるにすぎず、請求される主題はこの例に限定されないことが注記されるべきである。
【００８６】
［００８９］現在特徴例であるとみなされる事柄が例示されて説明されている一方で、請求される主題から逸脱することなしに様々なその他の修正を行うことができること、及び、同等物を置換することができることが当業者によって理解されるべきである。さらに、ここにおいて説明される中心的概念から逸脱することなしに請求される主題の教示に合わせて特定の状況を好適化するための数多くの修正を行うことができる。
【００８７】
［００９０］従って、請求される主題は開示される特定の例に限定されず、該請求される主題は、添付される請求項の範囲内に入るすべての態様、及びそれらの同等物も含むことができることが意図される。
【図１】
2016511615.tif 000003
【図２Ａ】
2016511615.tif 000004
【図２Ｂ】
2016511615.tif 000005
【図３Ａ】
2016511615.tif 000006
【図３Ｂ】
2016511615.tif 000007
【図４】
2016511615.tif 000008
【図５】
2016511615.tif 000009
【手続補正書】
【提出日】平成27年12月14日(2015.12.14)
【手続補正１】
【補正対象書類名】特許請求の範囲
【補正対象項目名】全文
【補正方法】変更
【補正の内容】
【特許請求の範囲】
【請求項１】
方法であって、モバイルデバイスにおいて、
無線トランシーバデバイスによって送信された少なくとも第１の無線信号を取得することと、
少なくとも部分的に前記第１の無線信号に基づいて無線信号に関する少なくとも１つの後続する走査動作を選択的に変更することと、
走査動作リポートを少なくとも１つのその他のモバイルデバイスに送信することであって、前記走査動作リポートは、少なくとも部分的には、前記少なくとも１つの後続する走査動作に基づくことと
を備える、方法。
【請求項２】
前記少なくとも１つの後続する走査動作を選択的に変更することは、
前記第１の無線信号に関する受信信号強度測定値、及び／又は前記第１の無線信号を送信する際に前記無線トランシーバデバイスによって加えられる決定された送信電力のうちの少なくとも１つに少なくとも部分的に基づいて前記少なくとも１つの後続する走査動作を選択的に変更することを備える請求項１に記載の方法。
【請求項３】
前記少なくとも１つの後続する走査動作を選択的に変更することは、
少なくとも部分的に前記第１の無線信号に基づいて走査スケジュールを変更することを備える請求項１に記載の方法。
【請求項４】
前記走査スケジュールは、少なくとも部分的には走査速度に基づき、前記少なくとも１つの走査動作を選択的に変更することは、前記走査速度の周波数を変更することを備える請求項３に記載の方法。
【請求項５】
前記走査速度は、少なくとも部分的には位置フィックスレートに基づく請求項４に記載の方法。
【請求項６】
前記走査速度の前記周波数を変更することは、
前記第１の無線信号に関する受信信号強度測定値が信号強度スレショルド値を満たしていない、及び／又は、前記第１の無線信号を送信する際に前記無線トランシーバデバイスによって加えられる決定された送信電力が送信電力スレショルド値を満たしていない、のうちの少なくとも１つを決定したことに応答して前記周波数を増大させることを備える請求項４に記載の方法。
【請求項７】
前記走査速度の前記周波数を変更することは、
前記受信信号強度測定値が前記信号強度スレショルド値を満たしていると決定したこと、及び／又は、前記決定された送信電力が前記送信電力スレショルド値を満たしていると決定したこと、のうちの少なくとも１つに応答して前記周波数を低減させることを備える請求項４に記載の方法。
【請求項８】
前記走査速度の前記周波数を変更することは、
デフォルトの走査速度に基づいて識別された無線トランシーバデバイスの数、及びヒートマップに基づく無線トランシーバデバイスの予想数に少なくとも部分的に基づいて前記周波数を低減させることを備える請求項４に記載の方法。
【請求項９】
前記少なくとも１つの後続する走査動作を選択的に変更することは、
少なくとも部分的に前記第１の無線信号を介して入手された走査ファクタに少なくとも部分的に基づいて前記少なくとも１つの後続する走査動作を選択的に変更することを備える請求項１に記載の方法。
【請求項１０】
前記走査ファクタは、前記モバイルデバイスの位置、及び／又は時間測定値のうちの少なくとも１つに依存して変化する請求項９に記載の方法。
【請求項１１】
前記走査ファクタは、推奨される走査速度周波数を示す請求項９に記載の方法。
【請求項１２】
前記走査ファクタは、提案される走査限界を示す請求項９に記載の方法。
【請求項１３】
前記少なくとも１つの後続する走査動作は、受動的走査動作を備える請求項１に記載の方法。
【請求項１４】
モバイルデバイスにおいて使用するための装置であって、
無線トランシーバデバイスによって送信された少なくとも第１の無線信号を取得するための手段と、
少なくとも部分的に前記第１の無線信号に基づいて無線信号に関する少なくとも１つの後続する走査動作を選択的に変更するための手段と、
走査動作リポートを少なくとも１つのその他のモバイルデバイスに送信するための手段であって、前記走査動作リポートは、少なくとも部分的には前記少なくとも１つの後続する走査動作に基づく手段と
を備える、装置。
【請求項１５】
前記第１の無線信号に関する受信信号強度測定値、及び／又は前記第１の無線信号を送信する際に前記無線トランシーバデバイスによって加えられる決定された送信電力のうちの少なくとも１つに少なくとも部分的に基づいて前記少なくとも１つの後続する走査動作を選択的に変更するための手段をさらに備える請求項１４に記載の装置。
【請求項１６】
少なくとも部分的に前記第１の無線信号に基づいて走査スケジュールを変更するための手段をさらに備える請求項１４に記載の装置。
【請求項１７】
前記走査スケジュールは、少なくとも部分的に、走査速度に基づき、
少なくとも部分的に前記第１の無線信号に基づいて前記走査速度の周波数を変更するための手段をさらに備える請求項１６に記載の装置。
【請求項１８】
前記走査速度は、少なくとも部分的には位置フィックスレートに基づく請求項１７に記載の装置。
【請求項１９】
前記第１の無線信号に関する受信信号強度測定値が信号強度スレショルド値を満たしていない、及び／又は、前記第１の無線信号を送信する際に前記無線トランシーバデバイスによって加えられる決定された送信電力が送信電力スレショルド値を満たしていない、のうちの少なくとも１つを決定したことに応答して前記周波数を増大させるための手段をさらに備える請求項１７に記載の装置。
【請求項２０】
前記受信信号強度測定値が前記信号強度スレショルド値を満たしていると決定したこと、及び／又は、前記決定された送信電力が前記送信電力スレショルド値を満たしていると決定したこと、のうちの少なくとも１つに応答して前記周波数を低減させるための手段をさらに備える請求項１７に記載の装置。
【請求項２１】
デフォルトの走査速度に基づいて識別された無線トランシーバデバイスの数、及びヒートマップに基づく無線トランシーバデバイスの予想数に少なくとも部分的に基づいて前記周波数を低減させるための手段をさらに備える請求項１７に記載の装置。
【請求項２２】
少なくとも部分的に前記第１の無線信号を介して入手された走査ファクタに少なくとも部分的に基づいて前記少なくとも１つの後続する走査動作を選択的に変更するための手段をさらに備える請求項１４に記載の装置。
【請求項２３】
前記走査ファクタは、前記モバイルデバイスの位置、及び／又は時間測定値のうちの少なくとも１つに依存して変化する請求項２２に記載の装置。
【請求項２４】
前記走査ファクタは、推奨される走査速度周波数を示す請求項２２に記載の装置。
【請求項２５】
前記走査ファクタは、提案される走査限界を示す請求項２２に記載の装置。
【請求項２６】
前記少なくとも１つの後続する走査動作は、受動的走査動作を備える請求項１４に記載の装置。
【請求項２７】
モバイルデバイスであって、
無線トランシーバデバイスから少なくとも第１の無線信号を取得するように構成された受信機と、
前記受信機に結合され、少なくとも部分的に前記第１の無線信号に基づいて前記受信機を用いて無線信号に関する少なくとも１つの後続する走査動作を選択的に変更するように構成された処理ユニットと、
送信機と
を備え、前記処理ユニットは、
前記送信機を介して走査動作リポートを少なくとも１つのその他のモバイルデバイスに送信することを開始するようにさらに構成され、前記走査動作リポートは、少なくとも部分的には前記少なくとも１つの後続する走査動作に基づく、モバイルデバイス。
【請求項２８】
前記処理ユニットは、前記第１の無線信号に関する受信信号強度測定値、及び／又は前記第１の無線信号を送信する際に前記無線トランシーバデバイスによって加えられる決定された送信電力のうちの少なくとも１つに少なくとも部分的に基づいて前記少なくとも１つの後続する走査動作を選択的に変更するようにさらに構成される請求項２７に記載のモバイルデバイス。
【請求項２９】
前記処理ユニットは、
少なくとも部分的に前記第１の無線信号に基づいて走査スケジュールを変更するようにさらに構成される請求項２７に記載のモバイルデバイス。
【請求項３０】
前記走査スケジュールは、少なくとも部分的に走査速度に基づき、前記少なくとも１つの走査動作を選択的に変更することは、前記走査速度の周波数を変更することを備える請求項２９に記載のモバイルデバイス。
【請求項３１】
前記走査速度は、少なくとも部分的には位置フィックスレートに基づく請求項３０に記載のモバイルデバイス。
【請求項３２】
前記処理ユニットは、前記第１の無線信号に関する受信信号強度測定値が信号強度スレショルド値を満たしていない、及び／又は、前記第１の無線信号を送信する際に前記無線トランシーバデバイスによって加えられる決定された送信電力が送信電力スレショルド値を満たしていない、のうちの少なくとも１つを決定したことに応答して前記周波数を増大させるようにさらに構成される請求項３０に記載のモバイルデバイス。
【請求項３３】
前記処理ユニットは、前記受信信号強度測定値が前記信号強度スレショルド値を満たしていると決定したこと、及び／又は、前記決定された送信電力が前記送信電力スレショルド値を満たしていると決定したこと、のうちの少なくとも１つに応答して前記周波数を低減させるようにさらに構成される請求項３０に記載のモバイルデバイス。
【請求項３４】
前記処理ユニットは、デフォルトの走査速度に基づいて識別された無線トランシーバデバイスの数、及びヒートマップに基づく無線トランシーバデバイスの予想数に少なくとも部分的に基づいて前記周波数を低減させるようにさらに構成される請求項３０に記載のモバイルデバイス。
【請求項３５】
前記処理ユニットは、少なくとも部分的に前記第１の無線信号を介して入手された走査ファクタに少なくとも部分的に基づいて前記少なくとも１つの後続する走査動作を選択的に変更するようにさらに構成される請求項２７に記載のモバイルデバイス。
【請求項３６】
前記走査ファクタは、前記モバイルデバイスの位置、及び／又は時間測定値のうちの少なくとも１つに依存して変化する請求項３５に記載のモバイルデバイス。
【請求項３７】
前記走査ファクタは、推奨される走査速度周波数を示す請求項３５に記載のモバイルデバイス。
【請求項３８】
前記走査ファクタは、提案される走査限界を示す請求項３５に記載のモバイルデバイス。
【請求項３９】
前記少なくとも１つの後続する走査動作は、受動的走査動作を備える請求項２７に記載のモバイルデバイス。
【請求項４０】
品目であって、
無線トランシーバデバイスによって送信された少なくとも第１の無線信号を取得することと、
少なくとも部分的に前記第１の無線信号に基づいて無線信号に関する少なくとも１つの後続する走査動作を選択的に変更することと、
走査動作リポートを少なくとも１つのその他の電子デバイスに送信することを開始することであって、前記走査動作リポートは、少なくとも部分的には、前記少なくとも１つの後続する走査動作に基づくことと、
を行うためにモバイルデバイス内の処理ユニットによって実行可能なコンピュータによって実装可能な命令を格納している非一時的なコンピュータによって読み取り可能な媒体を備える、品目。
【請求項４１】
前記コンピュータによって実装可能な命令は、
前記第１の無線信号に関する受信信号強度測定値、及び／又は前記第１の無線信号を送信する際に前記無線トランシーバデバイスによって加えられる決定された送信電力のうちの少なくとも１つに少なくとも部分的に基づいて前記少なくとも１つの後続する走査動作を選択的に変更するために前記処理ユニットによってさらに実行可能である請求項４０に記載の品目。
【請求項４２】
前記コンピュータによって実装可能な命令は、
少なくとも部分的に前記第１の無線信号に基づいて走査スケジュールを変更するために前記処理ユニットによってさらに実行可能である請求項４０に記載の品目。
【請求項４３】
前記走査スケジュールは、少なくとも部分的に走査速度に基づき、前記少なくとも１つの走査動作を選択的に変更することは、前記走査速度の周波数を変更することを備える請求項４２に記載の品目。
【請求項４４】
前記走査速度は、少なくとも部分的には、位置フィックスレートに基づく請求項４３に記載の品目。
【請求項４５】
前記コンピュータによって実装可能な命令は、前記第１の無線信号に関する受信信号強度測定値が信号強度スレショルド値を満たしていない、及び／又は、前記第１の無線信号を送信する際に前記無線トランシーバデバイスによって加えられる決定された送信電力が送信電力スレショルド値を満たしていない、のうちの少なくとも１つを決定したことに応答して前記周波数を増大させるために前記処理ユニットによってさらに実行可能である請求項４３に記載の品目。
【請求項４６】
前記コンピュータによって実装可能な命令は、前記受信信号強度測定値が前記信号強度スレショルド値を満たしていると決定したこと、及び／又は、前記決定された送信電力が前記送信電力スレショルド値を満たしていると決定したこと、のうちの少なくとも１つに応答して前記周波数を低減させるために前記処理ユニットによってさらに実行可能である請求項４３に記載の品目。
【請求項４７】
前記コンピュータによって実装可能な命令は、デフォルトの走査速度に基づいて識別された無線トランシーバデバイスの数、及びヒートマップに基づく無線トランシーバデバイスの予想数に少なくとも部分的に基づいて前記周波数を低減させるために前記処理ユニットによってさらに実行可能である請求項４３に記載の品目。
【請求項４８】
前記コンピュータによって実装可能な命令は、
少なくとも部分的に前記第１の無線信号を介して入手された走査ファクタに少なくとも部分的に基づいて前記少なくとも１つの後続する走査動作を選択的に変更するために前記処理ユニットによってさらに実行可能である請求項４０に記載の品目。
【請求項４９】
前記走査ファクタは、前記モバイルデバイスの位置、及び／又は時間測定値のうちの少なくとも１つに依存して変化する請求項４８に記載の品目。
【請求項５０】
前記走査ファクタは、推奨される走査速度周波数を示す請求項４８に記載の品目。
【請求項５１】
前記走査ファクタは、提案される走査限界を示す請求項４８に記載の品目。
【請求項５２】
前記少なくとも１つの後続する走査動作は、受動的走査動作を備える請求項４０に記載の品目。
【請求項５３】
方法であって、電子デバイスにおいて、
モバイルデバイスによる検討のために少なくとも１つの走査ファクタを決定することであって、前記少なくとも１つの走査ファクタは、少なくとも部分的には、第１の無線トランシーバデバイスによって送信された少なくとも第１の無線信号に基づくことと、
モバイルデバイスにメッセージを送信することであって、前記少なくとも１つのメッセージは、前記少なくとも１つの走査ファクタを示すことと、
少なくともモバイルデバイスによって送信された少なくとも１つの走査動作リポートを入手することであって、前記少なくとも１つの走査動作リポートは、少なくとも部分的には、前記第１の無線トランシーバデバイスに関連するカバレッジエリア内に位置する間に前記少なくとも１つのモバイルデバイスによって選択された前記少なくとも１つの後続する走査動作に基づくことと
を備える、方法。
【請求項５４】
前記少なくとも１つの走査ファクタは、前記第１の無線信号に関する受信信号強度測定値、及び／又は前記第１の無線信号を送信する際に前記第１の無線トランシーバデバイスによって加えられる決定された送信電力のうちの少なくとも１つに少なくとも部分的に基づく請求項５３に記載の方法。
【請求項５５】
前記走査ファクタは、前記モバイルデバイスの位置、及び／又は時間測定値のうちの少なくとも１つに依存して変化する請求項５３に記載の方法。
【請求項５６】
前記走査ファクタは、推奨される走査速度周波数、及び／又は提案される走査限界のうちの少なくとも１つを示す請求項５３に記載の方法。
【請求項５７】
前記少なくとも１つの走査ファクタを決定することは、
少なくとも部分的には前記少なくとも１つの走査動作リポートに基づいて前記少なくとも１つの走査ファクタを決定することをさらに備える請求項５３に記載の方法。
【請求項５８】
前記少なくとも１つの走査ファクタは、受動的走査動作に対応する請求項５３に記載の方法。
【請求項５９】
電子デバイスにおいて使用するための装置であって、
モバイルデバイスによる検討のために少なくとも１つの走査ファクタを決定するための手段であって、前記少なくとも１つの走査ファクタは、少なくとも部分的には、第１の無線トランシーバデバイスによって送信された少なくとも第１の無線信号に基づく手段と、
モバイルデバイスにメッセージを送信するための手段であって、前記少なくとも１つのメッセージは、前記少なくとも１つの走査ファクタを示す手段と、
少なくとも１つのモバイルデバイスによって送信された少なくとも１つの走査動作リポートを入手するための手段であって、前記少なくとも１つの走査動作リポートは、少なくとも部分的には、前記第１の無線トランシーバデバイスに関連するカバレッジエリア内に位置する間に前記少なくとも１つのモバイルデバイスによって選択された前記少なくとも１つの後続する走査動作に基づく手段と
を備える、装置。
【請求項６０】
前記少なくとも１つの走査ファクタは、少なくとも部分的には、前記第１の無線信号に関する受信信号強度測定値、及び／又は前記第１の無線信号を送信する際に前記第１の無線トランシーバデバイスによって加えられる決定された送信電力のうちの少なくとも１つに基づく請求項５９に記載の装置。
【請求項６１】
前記走査ファクタは、前記モバイルデバイスの位置、及び／又は時間測定値のうちの少なくとも１つに依存して変化する請求項５９に記載の装置。
【請求項６２】
前記走査ファクタは、推奨される走査速度周波数、及び／又は提案される走査限界のうちの少なくとも１つを示す請求項５９に記載の装置。
【請求項６３】
さらに少なくとも部分的には前記少なくとも１つの走査動作リポートに基づいて前記少なくとも１つの走査ファクタを決定するための手段と、をさらに備える請求項５９に記載の装置。
【請求項６４】
前記少なくとも１つの走査ファクタは、受動的走査動作に対応する請求項５９に記載の装置。
【請求項６５】
電子デバイスにおいて使用するためのコンピューティングプラットフォームであって、
第１の無線トランシーバデバイスによって送信された第１の無線信号を取得し、及び、モバイルデバイスにメッセージを送信するように構成されたネットワークインタフェースユニットと、
前記ネットワークインタフェースユニットに結合され、
モバイルデバイスによる検討のために少なくとも１つの走査ファクタを決定することであって、前記少なくとも１つの走査ファクタは、少なくとも部分的には、前記少なくとも第１の無線信号に基づくことと、
前記ネットワークインタフェースユニットを介して前記モバイルデバイスに前記メッセージを送信することを開始することであって、前記少なくとも１つのメッセージは、前記少なくとも１つの走査ファクタを示すことと、
前記ネットワークインタフェースユニットを介して、少なくともモバイルデバイスによって送信された少なくとも１つの走査動作リポートを入手することであって、前記少なくとも１つの走査動作リポートは、少なくとも部分的には、前記第１の無線トランシーバデバイスに関連するカバレッジエリア内に位置する間に前記少なくとも１つのモバイルデバイスによって選択された前記少なくとも１つの後続する走査動作に基づくことと
を行うように構成された処理ユニットと、
を備える、コンピューティングプラットフォーム。
【請求項６６】
前記少なくとも１つの走査ファクタは、少なくとも部分的には、前記第１の無線信号に関する受信信号強度測定値、及び／又は前記第１の無線信号を送信する際に前記第１の無線トランシーバデバイスによって加えられる決定された送信電力のうちの少なくとも１つに基づく請求項６５に記載のコンピューティングプラットフォーム。
【請求項６７】
前記走査ファクタは、前記モバイルデバイスの位置、及び／又は時間測定値のうちの少なくとも１つに依存して変化する請求項６５に記載のコンピューティングプラットフォーム。
【請求項６８】
前記走査ファクタは、推奨される走査速度周波数、及び／又は提案される走査限界のうちの少なくとも１つを示す請求項６５に記載のコンピューティングプラットフォーム。
【請求項６９】
前記処理ユニットは、少なくとも部分的に前記少なくとも１つの走査動作リポートにさらに基づいて前記少なくとも１つの走査ファクタを決定するようにさらに構成される請求項６５に記載のコンピューティングプラットフォーム。
【請求項７０】
前記少なくとも１つの走査ファクタは、受動的走査動作に対応する請求項６５に記載のコンピューティングプラットフォーム。
【請求項７１】
品目であって、
モバイルデバイスによる検討のために少なくとも１つの走査ファクタを決定することであって、前記少なくとも１つの走査ファクタは、少なくとも部分的には、第１の無線トランシーバデバイスによって送信された少なくとも第１の無線信号に基づくことと、
モバイルデバイスへのメッセージの送信を開始することであって、前記少なくとも１つのメッセージは、前記少なくとも１つの走査ファクタを示すことと、
少なくともモバイルデバイスによって送信された少なくとも１つの走査動作リポートを入手することであって、前記少なくとも１つの走査動作リポートは、少なくとも部分的には、前記第１の無線トランシーバデバイスに関連するカバレッジエリア内に位置する間に前記少なくとも１つのモバイルデバイスによって選択された前記少なくとも１つの後続する走査動作に基づくことと
を行うために電子デバイスの処理ユニットによって実行可能であるコンピュータによって実装可能な命令を格納している非一時的なコンピュータによって読み取り可能な媒体を備える、品目。
【請求項７２】
前記少なくとも１つの走査ファクタは、少なくとも部分的には、前記第１の無線信号に関する受信信号強度測定値、及び／又は前記第１の無線信号を送信する際に前記第１の無線トランシーバデバイスによって加えられる決定された送信電力のうちの少なくとも１つに基づく請求項７１に記載の品目。
【請求項７３】
前記走査ファクタは、前記モバイルデバイスの位置、及び／又は時間測定値のうちの少なくとも１つに依存して変化する請求項７１に記載の品目。
【請求項７４】
前記走査ファクタは、推奨される走査速度周波数、及び／又は提案される走査限界のうちの少なくとも１つを示す請求項７１に記載の品目。
【請求項７５】
前記コンピュータによって実装可能な命令は、
少なくとも部分的には前記少なくとも１つの走査動作リポートに基づいて前記少なくとも１つの走査ファクタを決定するために前記処理ユニットによってさらに実行可能である、請求項７１に記載の品目。
【請求項７６】
前記少なくとも１つの走査ファクタは、受動的走査動作に対応する請求項７１に記載の品目。
【手続補正２】
【補正対象書類名】明細書
【補正対象項目名】００８７
【補正方法】変更
【補正の内容】
【００８７】
［００９０］従って、請求される主題は開示される特定の例に限定されず、該請求される主題は、添付される請求項の範囲内に入るすべての態様、及びそれらの同等物も含むことができることが意図される。
以下に本願発明の当初の特許請求の範囲に記載された発明を付記する。
［Ｃ１］
方法であって、モバイルデバイスにおいて、
無線トランシーバデバイスによって送信された少なくとも第１の無線信号を取得することと、
少なくとも部分的に前記第１の無線信号に基づいて無線信号に関する少なくとも１つの後続する走査動作を選択的に変更することと、を備える、方法。
［Ｃ２］
前記少なくとも１つの後続する走査動作を選択的に変更することは、
前記第１の無線信号に関する受信信号強度測定値、及び／又は前記第１の無線信号を送信する際に前記無線トランシーバデバイスによって加えられる決定された送信電力のうちの少なくとも１つに少なくとも部分的に基づいて前記少なくとも１つの後続する走査動作を選択的に変更することを備えるＣ１に記載の方法。
［Ｃ３］
前記少なくとも１つの後続する走査動作を選択的に変更することは、
少なくとも部分的に前記第１の無線信号に基づいて走査スケジュールを変更することを備えるＣ１に記載の方法。
［Ｃ４］
前記走査スケジュールは、少なくとも部分的には走査速度に基づき、前記少なくとも１つの走査動作を選択的に変更することは、前記走査速度の周波数を変更することを備えるＣ３に記載の方法。
［Ｃ５］
前記走査速度は、少なくとも部分的には位置フィックスレートに基づくＣ４に記載の方法。
［Ｃ６］
前記走査速度の前記周波数を変更することは、
前記第１の無線信号に関する受信信号強度測定値が信号強度スレショルド値を満たしていない、及び／又は、前記第１の無線信号を送信する際に前記無線トランシーバデバイスによって加えられる送信電力が送信電力スレショルド値を満たしていない、のうちの少なくとも１つを決定したことに応答して前記周波数を増大させることを備えるＣ４に記載の方法。
［Ｃ７］
前記走査速度の前記周波数を変更することは、
前記受信信号強度測定値が前記信号強度スレショルド値を満たしていると決定したこと、及び／又は、前記決定された送信電力が前記送信電力スレショルド値を満たしていると決定したこと、のうちの少なくとも１つに応答して前記周波数を低減させることを備えるＣ４に記載の方法。
［Ｃ８］
前記走査速度の前記周波数を変更することは、
デフォルトの走査速度、及びヒートマップに基づく無線トランシーバデバイスの予想数に基づいて識別された無線トランシーバデバイスの数に少なくとも部分的に基づいて前記周波数を低減させることを備えるＣ４に記載の方法。
［Ｃ９］
前記少なくとも１つの後続する走査動作を選択的に変更することは、
少なくとも部分的に前記第１の無線信号を介して入手された走査ファクタに少なくとも部分的に基づいて前記少なくとも１つの後続する走査動作を選択的に変更することを備えるＣ１に記載の方法。
［Ｃ１０］
前記走査ファクタは、前記モバイルデバイスの位置、及び／又は時間測定値のうちの少なくとも１つに依存して変化するＣ９に記載の方法。
［Ｃ１１］
前記走査ファクタは、推奨される走査速度周波数を示すＣ９に記載の方法。
［Ｃ１２］
前記走査ファクタは、提案される走査限界を示すＣ９に記載の方法。
［Ｃ１３］
前記モバイルデバイスおいて、
走査動作リポートを少なくとも１つのその他の電子デバイスに送信することであって、前記走査動作リポートは、少なくとも部分的には、前記少なくとも１つの後続する走査動作に基づくことをさらに備えるＣ１に記載の方法。
［Ｃ１４］
前記少なくとも１つの後続する走査動作は、受動的走査動作を備えるＣ１に記載の方法。
［Ｃ１５］
モバイルデバイスにおいて使用するための装置であって、
無線トランシーバデバイスによって送信された少なくとも第１の無線信号を取得するための手段と、
少なくとも部分的に前記第１の無線信号に基づいて無線信号に関する少なくとも１つの後続する走査動作を選択的に変更するための手段と、を備える、装置。
［Ｃ１６］
前記第１の無線信号に関する受信信号強度測定値、及び／又は前記第１の無線信号を送信する際に前記無線トランシーバデバイスによって加えられる決定された送信電力のうちの少なくとも１つに少なくとも部分的に基づいて前記少なくとも１つの後続する走査動作を選択的に変更するための手段をさらに備えるＣ１５に記載の装置。
［Ｃ１７］
少なくとも部分的に前記第１の無線信号に基づいて走査スケジュールを変更するための手段をさらに備えるＣ１５に記載の装置。
［Ｃ１８］
前記走査スケジュールは、少なくとも部分的に、走査速度に基づき、
少なくとも部分的に前記第１の無線信号に基づいて前記走査速度の周波数を変更するための手段をさらに備えるＣ１７に記載の装置。
［Ｃ１９］
前記走査速度は、少なくとも部分的には位置フィックスレートに基づくＣ１８に記載の装置。
［Ｃ２０］
前記第１の無線信号に関する受信信号強度測定値が信号強度スレショルド値を満たしていない、及び／又は、前記第１の無線信号を送信する際に前記無線トランシーバデバイスによって加えられる決定された送信電力が送信電力スレショルド値を満たしていない、のうちの少なくとも１つを決定したことに応答して前記周波数を増大させるための手段をさらに備えるＣ１８に記載の装置。
［Ｃ２１］
前記受信信号強度測定値が前記信号強度スレショルド値を満たしていると決定したこと、及び／又は、前記送信電力が前記送信電力スレショルド値を満たしていると決定したこと、のうちの少なくとも１つに応答して前記周波数を低減させるための手段をさらに備えるＣ１８に記載の装置。
［Ｃ２２］
デフォルトの走査速度、及びヒートマップに基づく無線トランシーバデバイスの予想数に基づいて識別された無線トランシーバデバイスの数に少なくとも部分的に基づいて前記周波数を低減させるための手段をさらに備えるＣ１８に記載の装置。
［Ｃ２３］
少なくとも部分的に前記第１の無線信号を介して入手された走査ファクタに少なくとも部分的に基づいて前記少なくとも１つの後続する走査動作を選択的に変更するための手段をさらに備えるＣ１５に記載の装置。
［Ｃ２４］
前記走査ファクタは、前記モバイルデバイスの位置、及び／又は時間測定値のうちの少なくとも１つに依存して変化するＣ２３に記載の装置。
［Ｃ２５］
前記走査ファクタは、推奨される走査速度周波数を示すＣ２３に記載の装置。
［Ｃ２６］
前記走査ファクタは、提案される走査限界を示すＣ２３に記載の装置。
［Ｃ２７］
走査動作リポートを少なくとも１つのその他の電子デバイスに送信するための手段であって、前記走査動作リポートは、少なくとも部分的には前記少なくとも１つの後続する走査動作に基づく手段、をさらに備えるＣ１５に記載の装置。
［Ｃ２８］
前記少なくとも１つの後続する走査動作は、受動的走査動作を備えるＣ１５に記載の装置。
［Ｃ２９］
モバイルデバイスであって、
無線トランシーバデバイスから少なくとも第１の無線信号を取得するように構成された受信機と、
前記受信機に結合され、少なくとも部分的に前記第１の無線信号に基づいて前記受信機を用いて無線信号に関する少なくとも１つの後続する走査動作を選択的に変更するように構成された処理ユニットと、を備える、モバイルデバイス。
［Ｃ３０］
前記処理ユニットは、前記第１の無線信号に関する受信信号強度測定値、及び／又は前記第１の無線信号を送信する際に前記無線トランシーバデバイスによって加えられる決定された送信電力のうちの少なくとも１つに少なくとも部分的に基づいて前記少なくとも１つの後続する走査動作を選択的に変更するようにさらに構成されるＣ２９に記載のモバイルデバイス。
［Ｃ３１］
前記処理ユニットは、
少なくとも部分的に前記第１の無線信号に基づいて走査スケジュールを変更するようにさらに構成されるＣ２９に記載のモバイルデバイス。
［Ｃ３２］
前記走査スケジュールは、少なくとも部分的に走査速度に基づき、前記少なくとも１つの走査動作を選択的に変更することは、前記走査速度の周波数を変更することを備えるＣ３１に記載のモバイルデバイス。
［Ｃ３３］
前記走査速度は、少なくとも部分的には位置フィックスレートに基づくＣ３２に記載のモバイルデバイス。
［Ｃ３４］
前記処理ユニットは、前記第１の無線信号に関する受信信号強度測定値が信号強度スレショルド値を満たしていない、及び／又は、前記第１の無線信号を送信する際に前記無線トランシーバデバイスによって加えられる決定された送信電力が送信電力スレショルド値を満たしていない、のうちの少なくとも１つを決定したことに応答して前記周波数を増大させるようにさらに構成されるＣ３２に記載のモバイルデバイス。
［Ｃ３５］
前記処理ユニットは、前記受信信号強度測定値が前記信号強度スレショルド値を満たしていると決定したこと、及び／又は、前記送信電力が前記送信電力スレショルド値を満たしていると決定したこと、のうちの少なくとも１つに応答して前記周波数を低減させるようにさらに構成されるＣ３２に記載のモバイルデバイス。
［Ｃ３６］
前記処理ユニットは、デフォルトの走査速度、及びヒートマップに基づく無線トランシーバデバイスの予想数に基づいて識別された無線トランシーバデバイスの数に少なくとも部分的に基づいて前記周波数を低減させるようにさらに構成されるＣ３２に記載のモバイルデバイス。
［Ｃ３７］
前記処理ユニットは、少なくとも部分的に前記第１の無線信号を介して入手された走査ファクタに少なくとも部分的に基づいて前記少なくとも１つの後続する走査動作を選択的に変更するようにさらに構成されるＣ２９に記載のモバイルデバイス。
［Ｃ３８］
前記走査ファクタは、前記モバイルデバイスの位置、及び／又は時間測定値のうちの少なくとも１つに依存して変化するＣ３７に記載のモバイルデバイス。
［Ｃ３９］
前記走査ファクタは、推奨される走査速度周波数を示すＣ３７に記載のモバイルデバイス。
［Ｃ４０］
前記走査ファクタは、提案される走査限界を示すＣ３７に記載のモバイルデバイス。
［Ｃ４１］
送信機をさらに備え、前記処理ユニットは、
前記送信機を介して走査動作リポートを少なくとも１つのその他の電子デバイスに送信することを開始するようにさらに構成され、前記走査動作リポートは、少なくとも部分的には前記少なくとも１つの後続する走査動作に基づくＣ２９に記載のモバイルデバイス。
［Ｃ４２］
前記少なくとも１つの後続する走査動作は、受動的走査動作を備えるＣ２９に記載のモバイルデバイス。
［Ｃ４３］
品目であって、
無線トランシーバデバイスによって送信された少なくとも第１の無線信号を取得し、及び
少なくとも部分的に前記第１の無線信号に基づいて無線信号に関する少なくとも１つの後続する走査動作を選択的に変更するためにモバイルデバイス内の処理ユニットによって実行可能なコンピュータによって実装可能な命令を格納している非一時的なコンピュータによって読み取り可能な媒体を備える、品目。
［Ｃ４４］
前記コンピュータによって実装可能な命令は、
前記第１の無線信号に関する受信信号強度測定値、及び／又は前記第１の無線信号を送信する際に前記無線トランシーバデバイスによって加えられる決定された送信電力のうちの少なくとも１つに少なくとも部分的に基づいて前記少なくとも１つの後続する走査動作を選択的に変更するために前記処理ユニットによってさらに実行可能であるＣ４３に記載の品目。
［Ｃ４５］
前記コンピュータによって実装可能な命令は、
少なくとも部分的に前記第１の無線信号に基づいて走査スケジュールを変更するために前記処理ユニットによってさらに実行可能であるＣ４３に記載の品目。
［Ｃ４６］
前記走査スケジュールは、少なくとも部分的に走査速度に基づき、前記少なくとも１つの走査動作を選択的に変更することは、前記走査速度の周波数を変更することを備えるＣ４５に記載の品目。
［Ｃ４７］
前記走査速度は、少なくとも部分的には、位置フィックスレートに基づくＣ４６に記載の品目。
［Ｃ４８］
前記コンピュータによって実装可能な命令は、前記第１の無線信号に関する受信信号強度測定値が信号強度スレショルド値を満たしていない、及び／又は、前記第１の無線信号を送信する際に前記無線トランシーバデバイスによって加えられる送信電力が送信電力スレショルド値を満たしていない、のうちの少なくとも１つを決定したことに応答して前記周波数を増大させるために前記処理ユニットによってさらに実行可能であるＣ４６に記載の品目。
［Ｃ４９］
前記コンピュータによって実装可能な命令は、前記受信信号強度測定値が前記信号強度スレショルド値を満たしていると決定したこと、及び／又は、前記送信電力が前記送信電力スレショルド値を満たしていると決定したこと、のうちの少なくとも１つに応答して前記周波数を低減させるために前記処理ユニットによってさらに実行可能であるＣ４６に記載の品目。
［Ｃ５０］
前記コンピュータによって実装可能な命令は、デフォルトの走査速度、及びヒートマップに基づく無線トランシーバデバイスの予想数に基づいて識別された無線トランシーバデバイスの数に少なくとも部分的に基づいて前記周波数を低減させるために前記処理ユニットによってさらに実行可能であるＣ４６に記載の品目。
［Ｃ５１］
前記コンピュータによって実装可能な命令は、
少なくとも部分的に前記第１の無線信号を介して入手された走査ファクタに少なくとも部分的に基づいて前記少なくとも１つの後続する走査動作を選択的に変更するために前記処理ユニットによってさらに実行可能であるＣ４３に記載の品目。
［Ｃ５２］
前記走査ファクタは、前記モバイルデバイスの位置、及び／又は時間測定値のうちの少なくとも１つに依存して変化するＣ５１に記載の品目。
［Ｃ５３］
前記走査ファクタは、推奨される走査速度周波数を示すＣ５１に記載の品目。
［Ｃ５４］
前記走査ファクタは、提案される走査限界を示すＣ５１に記載の品目。
［Ｃ５５］
前記コンピュータによって実装可能な命令は、
走査動作リポートを少なくとも１つのその他の電子デバイスに送信するために前記処理ユニットによってさらに実行可能であり、前記走査動作リポートは、少なくとも部分的には、前記少なくとも１つの後続する走査動作に基づくＣ４３に記載の品目。
［Ｃ５６］
前記少なくとも１つの後続する走査動作は、受動的走査動作を備えるＣ４３に記載の品目。
［Ｃ５７］
方法であって、電子デバイスにおいて、
モバイルデバイスによる検討のために少なくとも１つの走査ファクタを決定することであって、前記少なくとも１つの走査ファクタは、少なくとも部分的には、第１の無線トランシーバデバイスによって送信された少なくとも第１の無線信号に基づくことと、
モバイルデバイスにメッセージを送信することであって、前記少なくとも１つのメッセージは、前記少なくとも１つの走査ファクタを示すことと、を備える、方法。
［Ｃ５８］
前記少なくとも１つの走査ファクタは、前記第１の無線信号に関する受信信号強度測定値、及び／又は前記第１の無線信号を送信する際に前記無線トランシーバデバイスによって加えられる決定された送信電力のうちの少なくとも１つに少なくとも部分的に基づくＣ５７に記載の方法。
［Ｃ５９］
前記走査ファクタは、前記モバイルデバイスの位置、及び／又は時間測定値のうちの少なくとも１つに依存して変化するＣ５７に記載の方法。
［Ｃ６０］
前記走査ファクタは、推奨される走査速度周波数、及び／又は提案される走査限界のうちの少なくとも１つを示すＣ５７に記載の方法。
［Ｃ６１］
前記電子デバイスにおいて、
少なくとも１つのモバイルデバイスによって送信された少なくとも１つの走査動作リポートを入手することであって、前記走査動作リポートは、少なくとも部分的には、前記第１の無線トランシーバデバイスに関連するカバレッジエリア内に位置する間に前記少なくとも１つのモバイルデバイスによって選択された前記少なくとも１つの後続する走査動作に基づくことをさらに備え、
前記少なくとも１つの走査ファクタを決定することは、
少なくとも部分的には前記少なくとも１つの走査動作リポートに基づいて前記少なくとも１つの走査ファクタを決定することをさらに備えるＣ５７に記載の方法。
［Ｃ６２］
前記少なくとも１つの走査ファクタは、受動的走査動作に対応するＣ５７に記載の方法。
［Ｃ６３］
電子において使用するための装置であって、
モバイルデバイスによる検討のために少なくとも１つの走査ファクタを決定するための手段であって、前記少なくとも１つの走査ファクタは、少なくとも部分的には、第１の無線トランシーバデバイスによって送信された少なくとも第１の無線信号に基づく手段と、
モバイルデバイスにメッセージを送信するための手段であって、前記少なくとも１つのメッセージは、前記少なくとも１つの走査ファクタを示す手段と、を備える、装置。
［Ｃ６４］
前記少なくとも１つの走査ファクタは、少なくとも部分的には、前記第１の無線信号に関する受信信号強度測定値、及び／又は前記第１の無線信号を送信する際に前記無線トランシーバデバイスによって加えられる決定された送信電力のうちの少なくとも１つに基づくＣ６３に記載の装置。
［Ｃ６５］
前記走査ファクタは、前記モバイルデバイスの位置、及び／又は時間測定値のうちの少なくとも１つに依存して変化するＣ６３に記載の装置。
［Ｃ６６］
前記走査ファクタは、推奨される走査速度周波数、及び／又は提案される走査限界のうちの少なくとも１つを示すＣ６３に記載の装置。
［Ｃ６７］
少なくとも１つのモバイルデバイスによって送信された少なくとも１つの走査動作リポートを入手するための手段であって、前記走査動作リポートは、少なくとも部分的には、前記第１の無線トランシーバデバイスに関連するカバレッジエリア内に位置する間に前記少なくとも１つのモバイルデバイスによって選択された前記少なくとも１つの後続する走査動作に基づく手段と、
さらに少なくとも部分的には前記少なくとも１つの走査動作リポートに基づいて前記少なくとも１つの走査ファクタを決定するための手段と、をさらに備えるＣ６３に記載の装置。
［Ｃ６８］
前記少なくとも１つの走査ファクタは、受動的走査動作に対応するＣ６３に記載の装置。
［Ｃ６９］
電子デバイスにおいて使用するためのコンピューティングプラットフォームであって、
第１の無線トランシーバデバイスによって送信された第１の無線信号を取得し、及び、モバイルデバイスにメッセージを送信するように構成されたネットワークインタフェースユニットと、
前記ネットワークインタフェースユニットに結合され、モバイルデバイスによる検討のために少なくとも１つの走査ファクタを決定するように構成され、前記少なくとも１つの走査ファクタは、少なくとも部分的には、第１の無線トランシーバデバイスによって送信された少なくとも第１の無線信号に基づき、及び
前記モバイルデバイスにメッセージを送信するように構成され、前記少なくとも１つのメッセージは、前記少なくとも１つの走査ファクタを示す、処理ユニットと、を備える、コンピューティングプラットフォーム。
［Ｃ７０］
前記少なくとも１つの走査ファクタは、少なくとも部分的には、前記第１の無線信号に関する受信信号強度測定値、及び／又は前記第１の無線信号を送信する際に前記無線トランシーバデバイスによって加えられる決定された送信電力のうちの少なくとも１つに基づくＣ６９に記載のコンピューティングプラットフォーム。
［Ｃ７１］
前記走査ファクタは、前記モバイルデバイスの位置、及び／又は時間測定値のうちの少なくとも１つに依存して変化するＣ６９に記載のコンピューティングプラットフォーム。
［Ｃ７２］
前記走査ファクタは、推奨される走査速度周波数、及び／又は提案される走査限界のうちの少なくとも１つを示すＣ６９に記載のコンピューティングプラットフォーム。
［Ｃ７３］
前記処理ユニットは、
前記ネットワークインタフェースユニットを介して、少なくとも１つのモバイルデバイスによって送信された少なくとも１つの走査動作リポートを入手するようにさらに構成され、前記少なくとも１つの走査動作リポートは、少なくとも部分的には、前記第１の無線トランシーバデバイスに関連するカバレッジエリア内に位置する間に前記少なくとも１つのモバイルデバイスによって選択された前記少なくとも１つの後続する走査動作に基づき、及び
少なくとも部分的に前記少なくとも１つの走査動作リポートにさらに基づいて前記少なくとも１つの走査ファクタを決定するようにさらに構成されるＣ６９に記載のコンピューティングプラットフォーム。
［Ｃ７４］
前記少なくとも１つの走査ファクタは、受動的走査動作に対応するＣ６９に記載のコンピューティングプラットフォーム。
［Ｃ７５］
品目であって、
モバイルデバイスによる検討のために少なくとも１つの走査ファクタを決定し、及び
モバイルデバイスへのメッセージの送信を開始するために電子デバイスの処理ユニットによって実行可能であるコンピュータによって実装可能な命令を格納している非一時的なコンピュータによって読み取り可能な媒体であって、前記少なくとも１つの走査ファクタは、少なくとも部分的には、第１の無線トランシーバデバイスによって送信された少なくとも第１の無線信号に基づき、前記少なくとも１つのメッセージは、前記少なくとも１つの走査ファクタを示す、非一時的なコンピュータによって読み取り可能な媒体、を備える、品目。
［Ｃ７６］
前記少なくとも１つの走査ファクタは、少なくとも部分的には、前記第１の無線信号に関する受信信号強度測定値、及び／又は前記第１の無線信号を送信する際に前記無線トランシーバデバイスによって加えられる決定された送信電力のうちの少なくとも１つに基づくＣ７５に記載の品目。
［Ｃ７７］
前記走査ファクタは、前記モバイルデバイスの位置、及び／又は時間測定値のうちの少なくとも１つに依存して変化するＣ７５に記載の品目。
［Ｃ７８］
前記走査ファクタは、推奨される走査速度周波数、及び／又は提案される走査限界のうちの少なくとも１つを示すＣ７５に記載の品目。
［Ｃ７９］
前記コンピュータによって実装可能な命令は、
少なくとも１つのモバイルデバイスによって送信された少なくとも１つの走査動作リポートを入手し、及び
少なくとも部分的には前記少なくとも１つの走査動作リポートに基づいて前記少なくとも１つの走査ファクタを決定するために前記処理ユニットによってさらに実行可能であり、前記少なくとも１つの走査動作リポートは、少なくとも部分的には、前記第１の無線トランシーバデバイスに関連するカバレッジエリア内に位置する間に前記少なくとも１つのモバイルデバイスによって選択された前記少なくとも１つの後続する走査動作に基づくＣ７５に記載の品目。
［Ｃ８０］
前記少なくとも１つの走査ファクタは、受動的走査動作に対応するＣ７５に記載の品目。
【手続補正書】
【提出日】平成27年12月15日(2015.12.15)
【手続補正１】
【補正対象書類名】特許請求の範囲
【補正対象項目名】全文
【補正方法】変更
【補正の内容】
【特許請求の範囲】
【請求項１】
方法であって、モバイルデバイスにおいて、
無線トランシーバデバイスによって送信された少なくとも第１の無線信号を取得することと、
少なくとも部分的に前記第１の無線信号に基づいて無線信号に関する少なくとも１つの後続する走査動作を選択的に変更することと、
走査動作リポートを少なくとも１つのその他の電子デバイスに送信することであって、前記走査動作リポートは、少なくとも部分的には、前記少なくとも１つの後続する走査動作に基づくことと
を備える、方法。
【請求項２】
前記少なくとも１つの後続する走査動作を選択的に変更することは、
前記第１の無線信号に関する受信信号強度測定値、及び／又は前記第１の無線信号を送信する際に前記無線トランシーバデバイスによって加えられる決定された送信電力のうちの少なくとも１つに少なくとも部分的に基づいて前記少なくとも１つの後続する走査動作を選択的に変更することを備える請求項１に記載の方法。
【請求項３】
前記少なくとも１つの後続する走査動作を選択的に変更することは、
少なくとも部分的に前記第１の無線信号に基づいて走査スケジュールを変更することを備える請求項１に記載の方法。
【請求項４】
前記走査スケジュールは、少なくとも部分的には走査速度に基づき、前記少なくとも１つの走査動作を選択的に変更することは、前記走査速度の周波数を変更することを備える請求項３に記載の方法。
【請求項５】
前記走査速度は、少なくとも部分的には位置フィックスレートに基づく請求項４に記載の方法。
【請求項６】
前記走査速度の前記周波数を変更することは、
前記第１の無線信号に関する受信信号強度測定値が信号強度スレショルド値を満たしていない、及び／又は、前記第１の無線信号を送信する際に前記無線トランシーバデバイスによって加えられる決定された送信電力が送信電力スレショルド値を満たしていない、のうちの少なくとも１つを決定したことに応答して前記周波数を増大させることを備える請求項４に記載の方法。
【請求項７】
前記走査速度の前記周波数を変更することは、
前記受信信号強度測定値が前記信号強度スレショルド値を満たしていると決定したこと、及び／又は、前記決定された送信電力が前記送信電力スレショルド値を満たしていると決定したこと、のうちの少なくとも１つに応答して前記周波数を低減させることを備える請求項４に記載の方法。
【請求項８】
前記走査速度の前記周波数を変更することは、
デフォルトの走査速度に基づいて識別された無線トランシーバデバイスの数、及びヒートマップに基づく無線トランシーバデバイスの予想数に少なくとも部分的に基づいて前記周波数を低減させることを備える請求項４に記載の方法。
【請求項９】
前記少なくとも１つの後続する走査動作を選択的に変更することは、
少なくとも部分的に前記第１の無線信号を介して入手された走査ファクタに少なくとも部分的に基づいて前記少なくとも１つの後続する走査動作を選択的に変更することを備える請求項１に記載の方法。
【請求項１０】
前記走査ファクタは、前記モバイルデバイスの位置、及び／又は時間測定値のうちの少なくとも１つに依存して変化する請求項９に記載の方法。
【請求項１１】
前記走査ファクタは、推奨される走査速度周波数を示す請求項９に記載の方法。
【請求項１２】
前記走査ファクタは、提案される走査限界を示す請求項９に記載の方法。
【請求項１３】
前記少なくとも１つの後続する走査動作は、受動的走査動作を備える請求項１に記載の方法。
【請求項１４】
モバイルデバイスにおいて使用するための装置であって、
無線トランシーバデバイスによって送信された少なくとも第１の無線信号を取得するための手段と、
少なくとも部分的に前記第１の無線信号に基づいて無線信号に関する少なくとも１つの後続する走査動作を選択的に変更するための手段と、
走査動作リポートを少なくとも１つのその他の電子デバイスに送信するための手段であって、前記走査動作リポートは、少なくとも部分的には前記少なくとも１つの後続する走査動作に基づく手段と
を備える、装置。
【請求項１５】
前記第１の無線信号に関する受信信号強度測定値、及び／又は前記第１の無線信号を送信する際に前記無線トランシーバデバイスによって加えられる決定された送信電力のうちの少なくとも１つに少なくとも部分的に基づいて前記少なくとも１つの後続する走査動作を選択的に変更するための手段をさらに備える請求項１４に記載の装置。
【請求項１６】
少なくとも部分的に前記第１の無線信号に基づいて走査スケジュールを変更するための手段をさらに備える請求項１４に記載の装置。
【請求項１７】
前記走査スケジュールは、少なくとも部分的に、走査速度に基づき、
少なくとも部分的に前記第１の無線信号に基づいて前記走査速度の周波数を変更するための手段をさらに備える請求項１６に記載の装置。
【請求項１８】
前記走査速度は、少なくとも部分的には位置フィックスレートに基づく請求項１７に記載の装置。
【請求項１９】
前記第１の無線信号に関する受信信号強度測定値が信号強度スレショルド値を満たしていない、及び／又は、前記第１の無線信号を送信する際に前記無線トランシーバデバイスによって加えられる決定された送信電力が送信電力スレショルド値を満たしていない、のうちの少なくとも１つを決定したことに応答して前記周波数を増大させるための手段をさらに備える請求項１７に記載の装置。
【請求項２０】
前記受信信号強度測定値が前記信号強度スレショルド値を満たしていると決定したこと、及び／又は、前記決定された送信電力が前記送信電力スレショルド値を満たしていると決定したこと、のうちの少なくとも１つに応答して前記周波数を低減させるための手段をさらに備える請求項１７に記載の装置。
【請求項２１】
デフォルトの走査速度に基づいて識別された無線トランシーバデバイスの数、及びヒートマップに基づく無線トランシーバデバイスの予想数に少なくとも部分的に基づいて前記周波数を低減させるための手段をさらに備える請求項１７に記載の装置。
【請求項２２】
少なくとも部分的に前記第１の無線信号を介して入手された走査ファクタに少なくとも部分的に基づいて前記少なくとも１つの後続する走査動作を選択的に変更するための手段をさらに備える請求項１４に記載の装置。
【請求項２３】
前記走査ファクタは、前記モバイルデバイスの位置、及び／又は時間測定値のうちの少なくとも１つに依存して変化する請求項２２に記載の装置。
【請求項２４】
前記走査ファクタは、推奨される走査速度周波数を示す請求項２２に記載の装置。
【請求項２５】
前記走査ファクタは、提案される走査限界を示す請求項２２に記載の装置。
【請求項２６】
前記少なくとも１つの後続する走査動作は、受動的走査動作を備える請求項１４に記載の装置。
【請求項２７】
モバイルデバイスであって、
無線トランシーバデバイスから少なくとも第１の無線信号を取得するように構成された受信機と、
前記受信機に結合され、少なくとも部分的に前記第１の無線信号に基づいて前記受信機を用いて無線信号に関する少なくとも１つの後続する走査動作を選択的に変更するように構成された処理ユニットと、
送信機と
を備え、前記処理ユニットは、
走査動作リポートを少なくとも１つのその他の電子デバイスに送信するようにさらに構成され、前記走査動作リポートは、少なくとも部分的には前記少なくとも１つの後続する走査動作に基づく、モバイルデバイス。
【請求項２８】
前記処理ユニットは、前記第１の無線信号に関する受信信号強度測定値、及び／又は前記第１の無線信号を送信する際に前記無線トランシーバデバイスによって加えられる決定された送信電力のうちの少なくとも１つに少なくとも部分的に基づいて前記少なくとも１つの後続する走査動作を選択的に変更するようにさらに構成される請求項２７に記載のモバイルデバイス。
【請求項２９】
前記処理ユニットは、
少なくとも部分的に前記第１の無線信号に基づいて走査スケジュールを変更するようにさらに構成される請求項２７に記載のモバイルデバイス。
【請求項３０】
前記走査スケジュールは、少なくとも部分的に走査速度に基づき、前記少なくとも１つの走査動作を選択的に変更することは、前記走査速度の周波数を変更することを備える請求項２９に記載のモバイルデバイス。
【請求項３１】
前記走査速度は、少なくとも部分的には位置フィックスレートに基づく請求項３０に記載のモバイルデバイス。
【請求項３２】
前記処理ユニットは、前記第１の無線信号に関する受信信号強度測定値が信号強度スレショルド値を満たしていない、及び／又は、前記第１の無線信号を送信する際に前記無線トランシーバデバイスによって加えられる決定された送信電力が送信電力スレショルド値を満たしていない、のうちの少なくとも１つを決定したことに応答して前記周波数を増大させるようにさらに構成される請求項３０に記載のモバイルデバイス。
【請求項３３】
前記処理ユニットは、前記受信信号強度測定値が前記信号強度スレショルド値を満たしていると決定したこと、及び／又は、前記決定された送信電力が前記送信電力スレショルド値を満たしていると決定したこと、のうちの少なくとも１つに応答して前記周波数を低減させるようにさらに構成される請求項３０に記載のモバイルデバイス。
【請求項３４】
前記処理ユニットは、デフォルトの走査速度に基づいて識別された無線トランシーバデバイスの数、及びヒートマップに基づく無線トランシーバデバイスの予想数に少なくとも部分的に基づいて前記周波数を低減させるようにさらに構成される請求項３０に記載のモバイルデバイス。
【請求項３５】
前記処理ユニットは、少なくとも部分的に前記第１の無線信号を介して入手された走査ファクタに少なくとも部分的に基づいて前記少なくとも１つの後続する走査動作を選択的に変更するようにさらに構成される請求項２７に記載のモバイルデバイス。
【請求項３６】
前記走査ファクタは、前記モバイルデバイスの位置、及び／又は時間測定値のうちの少なくとも１つに依存して変化する請求項３５に記載のモバイルデバイス。
【請求項３７】
前記走査ファクタは、推奨される走査速度周波数を示す請求項３５に記載のモバイルデバイス。
【請求項３８】
前記走査ファクタは、提案される走査限界を示す請求項３５に記載のモバイルデバイス。
【請求項３９】
前記少なくとも１つの後続する走査動作は、受動的走査動作を備える請求項２７に記載のモバイルデバイス。
【請求項４０】
品目であって、
無線トランシーバデバイスによって送信された少なくとも第１の無線信号を取得することと、
少なくとも部分的に前記第１の無線信号に基づいて無線信号に関する少なくとも１つの後続する走査動作を選択的に変更することと、
走査動作リポートを少なくとも１つのその他の電子デバイスに送信することであって、前記走査動作リポートは、少なくとも部分的には、前記少なくとも１つの後続する走査動作に基づくことと、
を行うためにモバイルデバイス内の処理ユニットによって実行可能なコンピュータによって実装可能な命令を格納している非一時的なコンピュータによって読み取り可能な媒体を備える、品目。
【請求項４１】
前記コンピュータによって実装可能な命令は、
前記第１の無線信号に関する受信信号強度測定値、及び／又は前記第１の無線信号を送信する際に前記無線トランシーバデバイスによって加えられる決定された送信電力のうちの少なくとも１つに少なくとも部分的に基づいて前記少なくとも１つの後続する走査動作を選択的に変更するために前記処理ユニットによってさらに実行可能である請求項４０に記載の品目。
【請求項４２】
前記コンピュータによって実装可能な命令は、
少なくとも部分的に前記第１の無線信号に基づいて走査スケジュールを変更するために前記処理ユニットによってさらに実行可能である請求項４０に記載の品目。
【請求項４３】
前記走査スケジュールは、少なくとも部分的に走査速度に基づき、前記少なくとも１つの走査動作を選択的に変更することは、前記走査速度の周波数を変更することを備える請求項４２に記載の品目。
【請求項４４】
前記走査速度は、少なくとも部分的には、位置フィックスレートに基づく請求項４３に記載の品目。
【請求項４５】
前記コンピュータによって実装可能な命令は、前記第１の無線信号に関する受信信号強度測定値が信号強度スレショルド値を満たしていない、及び／又は、前記第１の無線信号を送信する際に前記無線トランシーバデバイスによって加えられる決定された送信電力が送信電力スレショルド値を満たしていない、のうちの少なくとも１つを決定したことに応答して前記周波数を増大させるために前記処理ユニットによってさらに実行可能である請求項４３に記載の品目。
【請求項４６】
前記コンピュータによって実装可能な命令は、前記受信信号強度測定値が前記信号強度スレショルド値を満たしていると決定したこと、及び／又は、前記決定された送信電力が前記送信電力スレショルド値を満たしていると決定したこと、のうちの少なくとも１つに応答して前記周波数を低減させるために前記処理ユニットによってさらに実行可能である請求項４３に記載の品目。
【請求項４７】
前記コンピュータによって実装可能な命令は、デフォルトの走査速度に基づいて識別された無線トランシーバデバイスの数、及びヒートマップに基づく無線トランシーバデバイスの予想数に少なくとも部分的に基づいて前記周波数を低減させるために前記処理ユニットによってさらに実行可能である請求項４３に記載の品目。
【請求項４８】
前記コンピュータによって実装可能な命令は、
少なくとも部分的に前記第１の無線信号を介して入手された走査ファクタに少なくとも部分的に基づいて前記少なくとも１つの後続する走査動作を選択的に変更するために前記処理ユニットによってさらに実行可能である請求項４０に記載の品目。
【請求項４９】
前記走査ファクタは、前記モバイルデバイスの位置、及び／又は時間測定値のうちの少なくとも１つに依存して変化する請求項４８に記載の品目。
【請求項５０】
前記走査ファクタは、推奨される走査速度周波数を示す請求項４８に記載の品目。
【請求項５１】
前記走査ファクタは、提案される走査限界を示す請求項４８に記載の品目。
【請求項５２】
前記少なくとも１つの後続する走査動作は、受動的走査動作を備える請求項４０に記載の品目。
【請求項５３】
方法であって、電子デバイスにおいて、
モバイルデバイスによる検討のために少なくとも１つの走査ファクタを決定することであって、前記少なくとも１つの走査ファクタは、少なくとも部分的には、第１の無線トランシーバデバイスによって送信された少なくとも第１の無線信号に基づくことと、
モバイルデバイスにメッセージを送信することであって、前記少なくとも１つのメッセージは、前記少なくとも１つの走査ファクタを示すことと、
少なくとも１つのモバイルデバイスによって送信された少なくとも１つの走査動作リポートを入手することであって、前記少なくとも１つの送信された走査動作リポートは、少なくとも部分的には、前記第１の無線トランシーバデバイスに関連するカバレッジエリア内に位置する間に前記少なくとも１つのモバイルデバイスによって選択された前記少なくとも１つの後続する走査動作に基づくことと
を備える、方法。
【請求項５４】
前記少なくとも１つの決定された走査ファクタは、前記第１の無線信号に関する受信信号強度測定値、及び／又は前記第１の無線信号を送信する際に前記第１の無線トランシーバデバイスによって加えられる決定された送信電力のうちの少なくとも１つに少なくとも部分的に基づく請求項５３に記載の方法。
【請求項５５】
前記少なくとも１つの決定された走査ファクタは、前記モバイルデバイスの位置、及び／又は時間測定値のうちの少なくとも１つに依存して変化する請求項５３に記載の方法。
【請求項５６】
前記少なくとも１つの決定された走査ファクタは、推奨される走査速度周波数、及び／又は提案される走査限界のうちの少なくとも１つを示す請求項５３に記載の方法。
【請求項５７】
前記少なくとも１つの走査ファクタを決定することは、
少なくとも部分的には前記少なくとも１つの走査動作リポートに基づいて前記少なくとも１つの走査ファクタを決定することをさらに備える請求項５３に記載の方法。
【請求項５８】
前記少なくとも１つの決定された走査ファクタは、受動的走査動作に対応する請求項５３に記載の方法。
【請求項５９】
電子デバイスにおいて使用するための装置であって、
モバイルデバイスによる検討のために少なくとも１つの走査ファクタを決定するための手段であって、前記少なくとも１つの走査ファクタは、少なくとも部分的には、第１の無線トランシーバデバイスによって送信された少なくとも第１の無線信号に基づく手段と、
モバイルデバイスにメッセージを送信するための手段であって、前記少なくとも１つのメッセージは、前記少なくとも１つの走査ファクタを示す手段と、
少なくとも１つのモバイルデバイスによって送信された少なくとも１つの走査動作リポートを入手するための手段であって、前記少なくとも１つの走査動作リポートは、少なくとも部分的には、前記第１の無線トランシーバデバイスに関連するカバレッジエリア内に位置する間に前記少なくとも１つのモバイルデバイスによって選択された前記少なくとも１つの後続する走査動作に基づく手段と
を備える、装置。
【請求項６０】
前記少なくとも１つの決定された走査ファクタは、少なくとも部分的には、前記第１の無線信号に関する受信信号強度測定値、及び／又は前記第１の無線信号を送信する際に前記第１の無線トランシーバデバイスによって加えられる決定された送信電力のうちの少なくとも１つに基づく請求項５９に記載の装置。
【請求項６１】
前記少なくとも１つの決定された走査ファクタは、前記モバイルデバイスの位置、及び／又は時間測定値のうちの少なくとも１つに依存して変化する請求項５９に記載の装置。
【請求項６２】
前記少なくとも１つの決定された走査ファクタは、推奨される走査速度周波数、及び／又は提案される走査限界のうちの少なくとも１つを示す請求項５９に記載の装置。
【請求項６３】
さらに少なくとも部分的には前記少なくとも１つの走査動作リポートに基づいて前記少なくとも１つの走査ファクタを決定するための手段と、をさらに備える請求項５９に記載の装置。
【請求項６４】
前記少なくとも１つの決定された走査ファクタは、受動的走査動作に対応する請求項５９に記載の装置。
【請求項６５】
電子デバイスにおいて使用するためのコンピューティングプラットフォームであって、
第１の無線トランシーバデバイスによって送信された第１の無線信号を取得し、及び、モバイルデバイスにメッセージを送信するように構成されたネットワークインタフェースユニットと、
前記ネットワークインタフェースユニットに結合され、
モバイルデバイスによる検討のために少なくとも１つの走査ファクタを決定することであって、前記少なくとも１つの走査ファクタは、少なくとも部分的には、前記少なくとも第１の無線信号に基づくことと、
前記ネットワークインタフェースユニットを介して前記モバイルデバイスに前記メッセージを送信することを開始することであって、前記少なくとも１つのメッセージは、前記少なくとも１つの走査ファクタを示すことと、
前記ネットワークインタフェースユニットを介して、少なくともモバイルデバイスによって送信された少なくとも１つの走査動作リポートを入手することであって、前記少なくとも１つの走査動作リポートは、少なくとも部分的には、前記第１の無線トランシーバデバイスに関連するカバレッジエリア内に位置する間に前記少なくとも１つのモバイルデバイスによって選択された前記少なくとも１つの後続する走査動作に基づくことと
を行うように構成された処理ユニットと、
を備える、コンピューティングプラットフォーム。
【請求項６６】
前記少なくとも１つの決定された走査ファクタは、少なくとも部分的には、前記第１の無線信号に関する受信信号強度測定値、及び／又は前記第１の無線信号を送信する際に前記第１の無線トランシーバデバイスによって加えられる決定された送信電力のうちの少なくとも１つに基づく請求項６５に記載のコンピューティングプラットフォーム。
【請求項６７】
前記少なくとも１つの決定された走査ファクタは、前記モバイルデバイスの位置、及び／又は時間測定値のうちの少なくとも１つに依存して変化する請求項６５に記載のコンピューティングプラットフォーム。
【請求項６８】
前記少なくとも１つの決定された走査ファクタは、推奨される走査速度周波数、及び／又は提案される走査限界のうちの少なくとも１つを示す請求項６５に記載のコンピューティングプラットフォーム。
【請求項６９】
前記処理ユニットは、少なくとも部分的に前記少なくとも１つの走査動作リポートにさらに基づいて前記少なくとも１つの走査ファクタを決定するようにさらに構成される請求項６５に記載のコンピューティングプラットフォーム。
【請求項７０】
前記少なくとも１つの決定された走査ファクタは、受動的走査動作に対応する請求項６５に記載のコンピューティングプラットフォーム。
【請求項７１】
品目であって、
モバイルデバイスによる検討のために少なくとも１つの走査ファクタを決定することであって、前記少なくとも１つの走査ファクタは、少なくとも部分的には、第１の無線トランシーバデバイスによって送信された少なくとも第１の無線信号に基づくことと、
モバイルデバイスへのメッセージの送信を開始することであって、前記少なくとも１つのメッセージは、前記少なくとも１つの走査ファクタを示すことと、
少なくとも１つのモバイルデバイスによって送信された少なくとも１つの走査動作リポートを入手することであって、前記少なくとも１つの走査動作リポートは、少なくとも部分的には、前記第１の無線トランシーバデバイスに関連するカバレッジエリア内に位置する間に前記少なくとも１つのモバイルデバイスによって選択された前記少なくとも１つの後続する走査動作に基づくことと
を行うために電子デバイスの処理ユニットによって実行可能であるコンピュータによって実装可能な命令を格納している非一時的なコンピュータによって読み取り可能な媒体を備える、品目。
【請求項７２】
前記少なくとも１つの決定された走査ファクタは、少なくとも部分的には、前記第１の無線信号に関する受信信号強度測定値、及び／又は前記第１の無線信号を送信する際に前記第１の無線トランシーバデバイスによって加えられる決定された送信電力のうちの少なくとも１つに基づく請求項７１に記載の品目。
【請求項７３】
前記少なくとも１つの決定された走査ファクタは、前記モバイルデバイスの位置、及び／又は時間測定値のうちの少なくとも１つに依存して変化する請求項７１に記載の品目。
【請求項７４】
前記少なくとも１つの決定された走査ファクタは、推奨される走査速度周波数、及び／又は提案される走査限界のうちの少なくとも１つを示す請求項７１に記載の品目。
【請求項７５】
前記コンピュータによって実装可能な命令は、
少なくとも部分的には前記少なくとも１つの走査動作リポートに基づいて前記少なくとも１つの決定された走査ファクタを決定するために前記処理ユニットによってさらに実行可能である、請求項７１に記載の品目。
【請求項７６】
前記少なくとも１つの決定された走査ファクタは、受動的走査動作に対応する請求項７１に記載の品目。
【国際調査報告】
2016511615.tif 000010
2016511615.tif 000011